(57)【要約】  ワイヤレス通信のための方法、装置、およびコンピュータ可読媒体が提供される。一態様では、装置が、アクセスポイントからの信号の信号強度または局とアクセスポイントの間の距離に基づいて、ＥＤＣＡパラメータを調整し、調整されたＥＤＣＡパラメータに基づいて、アクセスポイントと通信するように構成される。
2018500837.tif 000002
【特許請求の範囲】
【請求項１】
局によるワイヤレス通信の方法であって、
アクセスポイントからの信号の信号強度または前記局と前記アクセスポイントの間の距離に基づいて、拡張分散チャネルアクセス（ＥＤＣＡ）パラメータを調整することと、
前記調整されたＥＤＣＡパラメータに基づいて、前記アクセスポイントと通信することと、
を備える方法。
【請求項２】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項１に記載の方法。
【請求項３】
前記ＥＤＣＡパラメータは、前記ＣＷＭＩＮパラメータ、前記ＣＷＭＡＸパラメータ、または前記ＡＩＦＳＮパラメータのうちの１つを備え、前記ＥＤＣＡパラメータを前記調整することは、前記信号強度または前記距離に比例して前記ＥＤＣＡパラメータを増大させることを備える、請求項２に記載の方法。
【請求項４】
前記ＥＤＣＡパラメータは、前記ＴＸＯＰパラメータを備え、前記ＥＤＣＡパラメータを前記調整することは、前記信号強度または前記距離に比例して前記ＥＤＣＡパラメータを低減させることを備える、請求項２に記載の方法。
【請求項５】
前記ＥＤＣＡパラメータを前記調整することは、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
を備える、請求項１に記載の方法。
【請求項６】
前記正規化されたパラメータは、前記信号強度または前記距離、前記信号強度または前記距離に関連付けられた最大パラメータ値、および前記信号強度または前記距離に関連付けられた最小パラメータ値に基づいて決定される、請求項５に記載の方法。
【請求項７】
前記正規化されたパラメータは、エネルギー検出（ＥＤ）レベル、前記アクセスポイントと前記局の間の受信信号強度インジケーション（ＲＳＳＩ）、または前記距離の関数である、請求項５に記載の方法。
【請求項８】
調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信することをさらに備える、請求項１に記載の方法。
【請求項９】
前記ＥＤＣＡパラメータの調整を可能にするインジケータを受信することをさらに備え、ここにおいて、前記ＥＤＣＡパラメータは、前記インジケータを受信した後に調整される、請求項１に記載の方法。
【請求項１０】
前記アクセスポイントがＥＤＣＡパラメータ調整をサポートするというインジケーションを受信することをさらに備え、ここにおいて、前記ＥＤＣＡパラメータは、前記インジケーションを受信した後に調整される、請求項１に記載の方法。
【請求項１１】
前記ＥＤＣＡパラメータを前記調整することは、前記信号強度または前記距離に基づき、およびＥＤＣＡパラメータルックアップテーブルに基づく、ここにおいて、前記ＥＤＣＡパラメータルックアップテーブルは、前記信号強度または前記距離に関連付けられた１つまたは複数のＥＤＣＡパラメータを含む、請求項１に記載の方法。
【請求項１２】
前記アクセスポイントから、前記ＥＤＣＡパラメータを調整するために前記局によって使用される情報を受信することをさらに備える、請求項１に記載の方法。
【請求項１３】
ワイヤレス通信のための局であって、
アクセスポイントからの信号の信号強度または前記局と前記アクセスポイントの間の距離に基づいて、拡張分散チャネルアクセス（ＥＤＣＡ）パラメータを調整するための手段と、
前記調整されたＥＤＣＡパラメータに基づいて、前記アクセスポイントと通信するための手段と、
を備える局。
【請求項１４】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項１３に記載の局。
【請求項１５】
前記ＥＤＣＡパラメータは、前記ＣＷＭＩＮパラメータ、前記ＣＷＭＡＸパラメータ、または前記ＡＩＦＳＮパラメータのうちの１つを備え、前記ＥＤＣＡパラメータを調整するための前記手段は、前記信号強度または前記距離に比例して前記ＥＤＣＡパラメータを増大させるように構成される、請求項１４に記載の局。
【請求項１６】
前記ＥＤＣＡパラメータは、前記ＴＸＯＰパラメータを備え、前記ＥＤＣＡパラメータを調整するための前記手段は、前記信号強度または前記距離に比例して前記ＥＤＣＡパラメータを低減させるように構成される、請求項１４に記載の局。
【請求項１７】
前記ＥＤＣＡパラメータを調整するための前記手段は、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
を行うように構成される、請求項１３に記載の局。
【請求項１８】
前記正規化されたパラメータは、前記信号強度または前記距離、前記信号強度または前記距離に関連付けられた最大パラメータ値、および前記信号強度または前記距離に関連付けられた最小パラメータ値に基づいて決定される、請求項１７に記載の局。
【請求項１９】
前記正規化されたパラメータは、エネルギー検出（ＥＤ）レベル、前記アクセスポイントと前記局の間の受信信号強度インジケーション（ＲＳＳＩ）、または前記距離の関数である、請求項１７に記載の局。
【請求項２０】
調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信するための手段をさらに備える、請求項１３に記載の局。
【請求項２１】
前記ＥＤＣＡパラメータの調整を可能にするインジケータを受信するための手段をさらに備え、ここにおいて、前記ＥＤＣＡパラメータは、前記インジケータを受信した後に調整される、請求項１３に記載の局。
【請求項２２】
前記アクセスポイントがＥＤＣＡパラメータ調整をサポートするというインジケーションを受信するための手段さらに備え、ここにおいて、前記ＥＤＣＡパラメータは、前記インジケーションを受信した後に調整される、請求項１３に記載の局。
【請求項２３】
前記ＥＤＣＡパラメータを調整するための前記手段は、前記信号強度または前記距離に基づき、およびＥＤＣＡパラメータルックアップテーブルに基づく、ここにおいて、前記ＥＤＣＡパラメータルックアップテーブルは、前記信号強度または前記距離に関連付けられた１つまたは複数のＥＤＣＡパラメータを含む、請求項１３に記載の局。
【請求項２４】
前記アクセスポイントから、前記ＥＤＣＡパラメータを調整するために前記局によって使用される情報を受信するための手段をさらに備える、請求項１３に記載の局。
【請求項２５】
ワイヤレス通信のための局であって、
メモリと、
前記メモリに結合され、かつ、
アクセスポイントからの信号の信号強度または前記局と前記アクセスポイントの間の距離に基づいて、拡張分散チャネルアクセス（ＥＤＣＡ）パラメータを調整することと、
前記調整されたＥＤＣＡパラメータに基づいて、前記アクセスポイントと通信することと、
を行うように構成された少なくとも１つのプロセッサと、
を備える局。
【請求項２６】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項２５に記載の局。
【請求項２７】
前記ＥＤＣＡパラメータは、前記ＣＷＭＩＮパラメータ、前記ＣＷＭＡＸパラメータ、または前記ＡＩＦＳＮパラメータのうちの１つを備え、前記少なくとも１つのプロセッサは、前記信号強度または前記距離に比例して前記ＥＤＣＡパラメータを増大させることによって、前記ＥＤＣＡパラメータを調整するように構成される、請求項２６に記載の局。
【請求項２８】
前記ＥＤＣＡパラメータは、前記ＴＸＯＰパラメータを備え、前記少なくとも１つのプロセッサは、前記信号強度または前記距離に比例して前記ＥＤＣＡパラメータを低減させることによって、前記ＥＤＣＡパラメータを調整するように構成される、請求項２６に記載の局。
【請求項２９】
前記少なくとも１つのプロセッサは、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
によって前記ＥＤＣＡパラメータを調整するように構成される、請求項２５に記載の局。
【請求項３０】
前記正規化されたパラメータは、前記信号強度または前記距離、前記信号強度または前記距離に関連付けられた最大パラメータ値、および前記信号強度または前記距離に関連付けられた最小パラメータ値に基づいて決定される、請求項２９に記載の局。
【請求項３１】
前記正規化されたパラメータは、エネルギー検出（ＥＤ）レベル、前記アクセスポイントと前記局の間の受信信号強度インジケーション（ＲＳＳＩ）、または前記距離の関数である、請求項２９に記載の局。
【請求項３２】
前記少なくとも１つのプロセッサは、調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信するようにさらに構成される、請求項２５に記載の局。
【請求項３３】
前記少なくとも１つのプロセッサは、前記ＥＤＣＡパラメータの調整を可能にするインジケータを受信するようにさらに構成され、ここにおいて、前記ＥＤＣＡパラメータは、前記インジケータを受信した後に調整される、請求項２５に記載の局。
【請求項３４】
前記少なくとも１つのプロセッサは、前記アクセスポイントがＥＤＣＡパラメータ調整をサポートするというインジケーションを受信するようにさらに構成され、ここにおいて、前記ＥＤＣＡパラメータは、前記インジケーションを受信した後に調整される、請求項２５に記載の局。
【請求項３５】
前記少なくとも１つのプロセッサは、前記信号強度または前記距離に基づいておよびＥＤＣＡパラメータルックアップテーブルに基づいて、前記ＥＤＣＡパラメータを調整するように構成され、ここにおいて、前記ＥＤＣＡパラメータルックアップテーブルは、前記信号強度または前記距離に関連付けられた１つまたは複数のＥＤＣＡパラメータを含む、請求項２５に記載の局。
【請求項３６】
前記少なくとも１つのプロセッサは、前記アクセスポイントから、前記ＥＤＣＡパラメータを調整するために前記局によって使用される情報を受信するようにさらに構成される、請求項２５に記載の局。
【請求項３７】
コンピュータにより実行可能なコードを記憶した、局のコンピュータ可読媒体であって、
アクセスポイントからの信号の信号強度または前記局と前記アクセスポイントの間の距離に基づいて、拡張分散チャネルアクセス（ＥＤＣＡ）パラメータを調整し、
前記調整されたＥＤＣＡパラメータに基づいて、前記アクセスポイントと通信する
ためのコードを備える、コンピュータ可読媒体。
【請求項３８】
アクセスポイントによるワイヤレス通信の方法であって、
前記アクセスポイントが拡張分散チャネルアクセス（ＥＤＣＡ）パラメータ調整をサポートするかどうかを決定することと、
前記決定に基づいて、局にメッセージを送信することと、前記メッセージは、前記アクセスポイントがＥＤＣＡパラメータ調整をサポートするかどうかを示す、
を備える方法。
【請求項３９】
前記アクセスポイントと前記局の間で通信される信号の信号強度または前記アクセスポイントと前記局の間の距離に基づいて調整されたＥＤＣＡパラメータに基づいて、前記局と通信することをさらに備える、請求項３８に記載の方法。
【請求項４０】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項３９に記載の方法。
【請求項４１】
前記アクセスポイントと前記局の間で通信される信号の信号強度または前記アクセスポイントと前記局の間の距離を決定することをさらに備える、請求項３８に記載の方法。
【請求項４２】
前記決定された信号強度または前記決定された距離を前記局に送信することをさらに備える、請求項４１に記載の方法。
【請求項４３】
前記決定された信号強度または前記決定された距離に基づいて、前記ＥＤＣＡパラメータを調整するためのＥＤＣＡパラメータ値を決定することと、
前記ＥＤＣＡパラメータを調整するための前記決定されたＥＤＣＡパラメータ値を送信することと、
をさらに備える、請求項４１に記載の方法。
【請求項４４】
ＥＤＣＡパラメータルックアップテーブルを送信することをさらに備え、前記ＥＤＣＡパラメータルックアップテーブルは、前記アクセスポイントと前記局の間で通信される信号の信号強度または前記アクセスポイントと前記局の間の距離に関連付けられた１つまたは複数のＥＤＣＡパラメータを含む、請求項３８に記載の方法。
【請求項４５】
ワイヤレス通信のためのアクセスポイントであって、
前記アクセスポイントが拡張分散チャネルアクセス（ＥＤＣＡ）パラメータ調整をサポートするかどうかを決定するための手段と、
前記決定に基づいて、局にメッセージを送信するための手段と、前記メッセージは、前記アクセスポイントがＥＤＣＡパラメータ調整をサポートするかどうかを示す、
を備えるアクセスポイント。
【請求項４６】
前記アクセスポイントと前記局の間で通信される信号の信号強度または前記アクセスポイントと前記局の間の距離に基づいて調整されたＥＤＣＡパラメータに基づいて、前記局と通信するための手段をさらに備える、請求項４５に記載のアクセスポイント。
【請求項４７】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項４６に記載のアクセスポイント。
【請求項４８】
前記アクセスポイントと前記局の間で通信される信号の信号強度または前記アクセスポイントと前記局の間の距離を決定するための手段をさらに備える、請求項４５に記載のアクセスポイント。
【請求項４９】
前記決定された信号強度または前記決定された距離を前記局に送信するための手段をさらに備える、請求項４８に記載のアクセスポイント。
【請求項５０】
前記決定された信号強度または前記決定された距離に基づいて、前記ＥＤＣＡパラメータを調整するためのＥＤＣＡパラメータ値を決定するための手段と、
前記ＥＤＣＡパラメータを調整するための前記決定されたＥＤＣＡパラメータ値を送信するための手段と、
をさらに備える、請求項４８に記載のアクセスポイント。
【請求項５１】
ＥＤＣＡパラメータルックアップテーブルを送信するための手段をさらに備え、前記ＥＤＣＡパラメータルックアップテーブルは、前記アクセスポイントと前記局の間で通信される信号の信号強度または前記アクセスポイントと前記局の間の距離に関連付けられた１つまたは複数のＥＤＣＡパラメータを含む、請求項４５に記載のアクセスポイント。
【請求項５２】
ワイヤレス通信のためのアクセスポイントであって、
メモリと、
前記メモリに結合され、かつ、
前記アクセスポイントが拡張分散チャネルアクセス（ＥＤＣＡ）パラメータ調整をサポートするかどうかを決定することと、
前記決定に基づいて、局にメッセージを送信することと、前記メッセージは、前記アクセスポイントがＥＤＣＡパラメータ調整をサポートするかどうかを示す、
を行うように構成された少なくとも１つのプロセッサと、
を備えるアクセスポイント。
【請求項５３】
前記少なくとも１つのプロセッサは、前記アクセスポイントと前記局の間で通信される信号の信号強度または前記アクセスポイントと前記局の間の距離に基づいて調整されたＥＤＣＡパラメータに基づいて、前記局と通信するようにさらに構成される、請求項５２に記載のアクセスポイント。
【請求項５４】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項５３に記載のアクセスポイント。
【請求項５５】
前記少なくとも１つのプロセッサは、前記アクセスポイントと前記局の間で通信される信号の信号強度または前記アクセスポイントと前記局の間の距離を決定するようにさらに構成される、請求項５２に記載のアクセスポイント。
【請求項５６】
前記少なくとも１つのプロセッサは、前記決定された信号強度または前記決定された距離を前記局に送信するようにさらに構成される、請求項５５に記載のアクセスポイント。
【請求項５７】
前記少なくとも１つのプロセッサは、
前記決定された信号強度または前記決定された距離に基づいて、前記ＥＤＣＡパラメータを調整するためのＥＤＣＡパラメータ値を決定することと、
前記ＥＤＣＡパラメータを調整するための前記決定されたＥＤＣＡパラメータ値を送信することと、
を行うようにさらに構成される、請求項５５に記載のアクセスポイント。
【請求項５８】
前記少なくとも１つのプロセッサは、ＥＤＣＡパラメータルックアップテーブルを送信するようにさらに構成され、前記ＥＤＣＡパラメータルックアップテーブルは、前記アクセスポイントと前記局の間で通信される信号の信号強度または前記アクセスポイントと前記局の間の距離に関連付けられた１つまたは複数のＥＤＣＡパラメータを含む、請求項５２に記載のアクセスポイント。
【請求項５９】
コンピュータにより実行可能なコードを記憶した、アクセスポイントのコンピュータ可読媒体であって、
前記アクセスポイントが拡張分散チャネルアクセス（ＥＤＣＡ）パラメータ調整をサポートするかどうかを決定し、
前記決定に基づいて、局にメッセージを送信する、前記メッセージは、前記アクセスポイントがＥＤＣＡパラメータ調整をサポートするかどうかを示す、
ためのコードを備える、コンピュータ可読媒体。
【発明の詳細な説明】
【関連出願への相互参照】
【０００１】
[0001]本願は、その全体が参照により本明細書に明確に組み込まれる、２０１４年１２月３０日に出願された「動的感度制御のための適応型ＥＤＣＡ調整（ADAPTIVE EDCA ADJUSTMENT FOR DYNAMIC SENSTIVITY CONTROL）」と題する米国仮特許出願第６２／０９８，２５３号、および２０１５年１２月２８日に出願された「動的感度制御のための適応型ＥＤＣＡ調整」と題する米国特許出願第１４／９８１，７１３号の利益を主張する。
【技術分野】
【０００２】
[0002]本開示は、一般に通信システムに関し、より詳細には、動的感度制御（ＤＳＣ：dynamic sensitivity control）のための適応型拡張分散チャネルアクセス（ＥＤＣＡ：enhanced distributed channel access）に関する。
【背景技術】
【０００３】
[0003]多くの電気通信システムでは、通信ネットワークが、いくつかの相互作用する空間的に隔てられたデバイスの間でメッセージを交換するために使用される。ネットワークは、地理的範囲に従って分類され得、それは、例えば、都市エリア、ローカルエリア、またはパーソナルエリアであることができる。このようなネットワークは、ワイドエリアネットワーク（ＷＡＮ）、都市エリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）としてそれぞれ指定されるであろう。ネットワークはまた、様々なネットワークノードおよびデバイスを相互接続するために使用される交換（switching）／ルーティングの技法（例えば、回線交換対パケット交換）、送信のために用いられる物理媒体のタイプ（例えば、ワイヤード対ワイヤレス）、および使用される通信プロトコルのセット（例えば、インターネットプロトコルスイート、同期型光ネットワーキング（ＳＯＮＥＴ）、イーサネット（登録商標）など）によって異なる。
【０００４】
[0004]ワイヤレスネットワークは、ネットワーク要素が移動式であり、それにより動的接続性のニーズを有するときに、またはネットワークアーキテクチャが固定式ではなくアドホックのトポロジにおいて形成される場合に好まれることが多い。ワイヤレスネットワークは、無線、マイクロ波、赤外線、光などの周波数帯域における電磁波を使用して、無誘導伝搬モードで無形の物理媒体（intangible physical media）を用いる。固定されたワイヤードネットワークと比較して、ワイヤレスネットワークは、ユーザモビリティおよび高速なフィールド展開を有利に促進する。
【発明の概要】
【０００５】
[0005]本発明のシステム、方法、コンピュータ可読媒体、およびデバイスは、いくつかの態様をそれぞれ有し、これらのうちのいずれも、本発明の好ましい属性を単独で担うものではない。以下に続く特許請求の範囲によって示される本発明の範囲を制限することなく、ここでいくつかの特徴が簡潔に説明される。この説明を考慮した後、また、特に「発明の詳細な説明」と題するセクションを読んだ後、当業者であれば、どのように本発明の特徴がワイヤレスネットワークにおけるデバイスに利点を提供するかを理解するであろう。
【０００６】
[0006]本開示の一態様は、ワイヤレス通信のための装置（例えば、局）を提供する。この装置は、アクセスポイントからの信号の信号強度または局とアクセスポイントの間の距離に基づいて、ＥＤＣＡパラメータを調整し、調整されたＥＤＣＡパラメータに基づいて、アクセスポイントと通信するように構成される。
【０００７】
[0007]別の態様では、ワイヤレス通信のための装置が提供される。この装置は、アクセスポイントからの信号の信号強度または装置とアクセスポイントの間の距離に基づいて、ＥＤＣＡパラメータを調整するための手段を含む。この装置は、調整されたＥＤＣＡパラメータに基づいて、アクセスポイントと通信するための手段を含み得る。ある態様では、ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ：arbitration inter-frame space number）パラメータ、または送信機会（ＴＸＯＰ）パラメータのうちの１つを含み得る。別の態様では、ＥＤＣＡパラメータは、ＣＷＭＩＮパラメータ、ＣＷＭＡＸパラメータ、またはＡＩＦＳＮパラメータのうちの１つを含み得、ＥＤＣＡパラメータを調整するための手段は、信号強度または距離に比例してＥＤＣＡパラメータを増大させるように構成され得る。別の態様では、ＥＤＣＡパラメータは、ＴＸＯＰパラメータを含み得、ＥＤＣＡパラメータを調整するための手段は、信号強度または距離に比例してＥＤＣＡパラメータを低減させるように構成され得る。別の構成では、ＥＤＣＡパラメータを調整するための手段は、信号強度または距離に基づいて、正規化されたパラメータを決定し、ＥＤＣＡパラメータに関連付けられた範囲（range）および正規化されたパラメータに基づいて、ＥＤＣＡパラメータを調整するように構成され得る。この範囲は、最大値および最小値を含み得る。別の態様では、正規化されたパラメータは、信号強度または距離、信号強度または距離に関連付けられた最大パラメータ値、および信号強度または距離に関連付けられた最小パラメータ値に基づいて決定され得る。別の態様では、正規化されたパラメータは、エネルギー検出（ＥＤ）レベル、アクセスポイントと装置の間の受信信号強度インジケーション（ＲＳＳＩ）、または距離の関数（function）であり得る。別の構成では、この装置は、調整すべきＥＤＣＡパラメータまたはＥＤＣＡパラメータを調整するためのＥＤＣＡパラメータ範囲のうちの少なくとも１つを示す、アクセスポイントからの情報を受信するための手段を含み得る。別の構成では、この装置は、ＥＤＣＡパラメータの調整を可能にするインジケータを受信するための手段を含み得、ＥＤＣＡパラメータは、インジケータを受信した後に調整され得る。別の構成では、この装置は、アクセスポイントがＥＤＣＡパラメータ調整をサポートするというインジケーションを受信するための手段を含み得、ＥＤＣＡパラメータは、インジケーションを受信した後に調整され得る。別の構成では、ＥＤＣＡパラメータは、信号強度または距離に基づいておよびＥＤＣＡパラメータルックアップテーブルに基づいて調整される。この構成では、ＥＤＣＡパラメータルックアップテーブルは、信号強度または距離に関連付けられた１つまたは複数のＥＤＣＡパラメータを含み得る。別の構成では、この装置は、アクセスポイントから、ＥＤＣＡパラメータを調整するために装置によって使用される情報を受信するための手段を含み得る。
【０００８】
[0008]別の態様では、局によるワイヤレス通信のためのコンピュータ実行可能コードを記憶したコンピュータ可読媒体が提供される。このコンピュータ可読媒体は、アクセスポイントからの信号の信号強度または局とアクセスポイントの間の距離に基づいて、ＥＤＣＡパラメータを調整するためと、調整されたＥＤＣＡパラメータに基づいて、アクセスポイントと通信するためのコードを含む。ある態様では、ＥＤＣＡパラメータは、ＣＷＭＩＮパラメータ、ＣＷＭＡＸパラメータ、ＡＩＦＳＮパラメータ、またはＴＸＯＰパラメータのうちの１つを含み得る。別の態様では、ＥＤＣＡパラメータは、ＣＷＭＩＮパラメータ、ＣＷＭＡＸパラメータ、またはＡＩＦＳＮパラメータのうちの１つを含み得、ＥＤＣＡパラメータを調整するためのコードは、信号強度または距離に比例してＥＤＣＡパラメータを増大させるためのコードを含み得る。別の態様では、ＥＤＣＡパラメータは、ＴＸＯＰパラメータを含み得、ＥＤＣＡパラメータを調整するためのコードは、信号強度または距離に比例してＥＤＣＡパラメータを低減させるためのコードを含み得る。別の構成では、ＥＤＣＡパラメータを調整するためのコードは、信号強度または距離に基づいて、正規化されたパラメータを決定するためと、ＥＤＣＡパラメータに関連付けられた範囲および正規化されたパラメータに基づいて、ＥＤＣＡパラメータを調整するためのコードを含み得る。この構成では、この範囲は、最大値および最小値を含み得る。別の態様では、正規化されたパラメータは、信号強度または距離、信号強度または距離に関連付けられた最大パラメータ値、および信号強度または距離に関連付けられた最小パラメータ値に基づいて決定され得る。別の態様では、正規化されたパラメータは、ＥＤレベル、アクセスポイントと局の間のＲＳＳＩ、または距離の関数であり得る。別の構成では、このコンピュータ可読媒体は、調整すべきＥＤＣＡパラメータまたはＥＤＣＡパラメータを調整するためのＥＤＣＡパラメータ範囲のうちの少なくとも１つを示す、アクセスポイントからの情報を受信するためのコードを含み得る。別の構成では、このコンピュータ可読媒体は、ＥＤＣＡパラメータの調整を可能にするインジケータを受信するためのコードを含み得、ＥＤＣＡパラメータは、インジケータを受信した後に調整され得る。別の構成では、このコンピュータ可読媒体は、アクセスポイントがＥＤＣＡパラメータ調整をサポートするというインジケーションを受信するためのコードを含み得、ＥＤＣＡパラメータは、インジケーションを受信した後に調整され得る。別の構成では、ＥＤＣＡパラメータは、信号強度または距離に基づいておよびＥＤＣＡパラメータルックアップテーブルに基づいて調整され得、ＥＤＣＡパラメータルックアップテーブルは、信号強度または距離に関連付けられた１つまたは複数のＥＤＣＡパラメータを含み得る。別の構成では、このコンピュータ可読媒体は、アクセスポイントから、ＥＤＣＡパラメータを調整するために局によって使用される情報を受信するためのコードを含み得る。
【０００９】
[0009]本開示の別の態様は、ワイヤレス通信のための装置（例えば、アクセスポイント）を提供する。この装置は、アクセスポイントがＥＤＣＡパラメータ調整をサポートするかどうかを決定し、この決定に基づいて、局にメッセージを送信するように構成される。このメッセージは、アクセスポイントがＥＤＣＡパラメータ調整をサポートするかどうかを示す。
【００１０】
[0010]別の態様では、ワイヤレス通信のための装置が提供される。この装置は、装置がＥＤＣＡパラメータ調整をサポートするかどうかを決定するための手段と、この決定に基づいて、局にメッセージを送信するための手段とを含む。このメッセージは、装置がＥＤＣＡパラメータ調整をサポートするかどうかを示し得る。別の構成では、この装置は、装置と局の間で通信される信号の信号強度または装置と局の間の距離に基づいて調整されたＥＤＣＡパラメータに基づいて、局と通信するための手段を含み得る。別の態様では、ＥＤＣＡパラメータは、ＣＷＭＩＮパラメータ、ＣＷＭＡＸパラメータ、ＡＩＦＳＮパラメータ、またはＴＸＯＰパラメータのうちの１つを含み得る。別の構成では、この装置は、装置と局の間で通信される信号の信号強度または装置と局の間の距離を決定するための手段を含み得る。別の構成では、この装置は、決定された信号強度または決定された距離を局に送信するための手段を含み得る。別の構成では、この装置は、決定された信号強度または決定された距離に基づいて、ＥＤＣＡパラメータを調整するためのＥＤＣＡパラメータ値を決定するための手段と、ＥＤＣＡパラメータを調整するための決定されたＥＤＣＡパラメータ値を送信するための手段とを含み得る。別の構成では、この装置は、ＥＤＣＡパラメータルックアップテーブルを送信するための手段を含み得る。ＥＤＣＡパラメータルックアップテーブルは、装置と局の間で通信される信号の信号強度または装置と局の間の距離に関連付けられた１つまたは複数のＥＤＣＡパラメータを含み得る。
【００１１】
[0011]別の態様では、アクセスポイントによるワイヤレス通信のためのコンピュータ実行可能コードを記憶したコンピュータ可読媒体が提供される。このコンピュータ可読媒体は、アクセスポイントがＥＤＣＡパラメータ調整をサポートするかどうかを決定するためと、この決定に基づいて、局にメッセージを送信するためのコードを含み得る。このメッセージは、アクセスポイントがＥＤＣＡパラメータ調整をサポートするかどうかを示し得る。別の構成では、このコンピュータ可読媒体は、アクセスポイントと局の間で通信される信号の信号強度またはアクセスポイントと局の間の距離に基づいて調整されたＥＤＣＡパラメータに基づいて、局と通信するためのコードを含み得る。ある態様では、ＥＤＣＡパラメータは、ＣＷＭＩＮパラメータ、ＣＷＭＡＸパラメータ、ＡＩＦＳＮパラメータ、またはＴＸＯＰパラメータのうちの１つを含み得る。別の構成では、このコンピュータ可読媒体は、アクセスポイントと局の間で通信される信号の信号強度またはアクセスポイントと局の間の距離を決定するためのコードを含み得る。別の構成では、このコンピュータ可読媒体は、決定された信号強度または決定された距離を局に送信するためのコードを含み得る。別の構成では、このコンピュータ可読媒体は、決定された信号強度または決定された距離に基づいて、ＥＤＣＡパラメータを調整するためのＥＤＣＡパラメータ値を決定するためと、ＥＤＣＡパラメータを調整するための決定されたＥＤＣＡパラメータ値を送信するためのコードを含み得る。別の構成では、このコンピュータ可読媒体は、ＥＤＣＡパラメータルックアップテーブルを送信するためのコードを含み得る。この構成では、ＥＤＣＡパラメータルックアップテーブルは、アクセスポイントと局の間で通信される信号の信号強度またはアクセスポイントと局の間の距離に関連付けられた１つまたは複数のＥＤＣＡパラメータを含み得る。
【図面の簡単な説明】
【００１２】
【図１】[0012]図１は、本開示の態様が用いられ得る実例的なワイヤレス通信システムを示す。
【図２】[0013]図２は、動的感度制御を使用するワイヤレスネットワーク（例えば、Ｗｉ−Ｆｉネットワーク）の図である。
【図３】[0014]図３は、動的感度制御のための適応型ＥＤＣＡ調整をインプリメントするワイヤレスネットワークの実例的な図である。
【図４】[0015]図４は、図１のワイヤレス通信システム内で通信するためのＥＤＣＡパラメータを調整し得る実例的なワイヤレスデバイスの機能ブロック図を示す。
【図５】[0016]図５は、ワイヤレス通信のためのＥＤＣＡパラメータを調整する実例的な方法のフローチャートである。
【図６】[0017]図６は、ＥＤＣＡパラメータを調整し得る実例的なワイヤレス通信デバイスの機能ブロック図である。
【図７】[0018]図７は、図１のワイヤレス通信システム内で用いられ得る適応型ＥＤＣＡを使用する実例的なワイヤレスデバイスの機能ブロック図を示す。
【図８】[0019]図８は、適応型ＥＤＣＡのためのワイヤレス通信の実例的な方法のフローチャートである。
【図９】[0020]図９は、適応型ＥＤＣＡのための実例的なワイヤレス通信デバイスの機能ブロック図である。
【発明の詳細な説明】
【００１３】
[0021]新規のシステム、装置、コンピュータプログラム製品、および方法の様々な態様が、添付の図面を参照して以下により十分に説明される。しかしながら、本開示は、多くの異なる形態で具現化され得、本開示の全体にわたって提示される任意の特定の構造または機能（fuction）に限定されるものとして解釈されるべきではない。むしろ、これらの態様は、本開示が十分かつ完全であり、当業者に本開示の範囲を十分に伝えるように提供される。ここでの教示に基づき、当業者は、本開示の範囲が、本発明のその他任意の態様と組み合わされてインプリメントされようと、あるいは独立してインプリメントされようと、ここに開示される新規のシステム、装置、コンピュータプログラム製品、および方法の任意の態様をカバーするように意図されていることを理解すべきである。例えば、ここで説明される任意の数の態様を使用して、装置がインプリメントされ得、または方法が実施され得る。加えて、本発明の範囲は、ここで説明される本発明の様々な態様に加えて、またはそれ以外の、他の構造、機能、または構造および機能を使用して実施されるそのような装置または方法をカバーするように意図される。ここで開示される任意の態様が、請求項の１つまたは複数の要素によって具現化され得ることが理解されるべきである。
【００１４】
[0022]特定の態様がここで説明されるが、これらの態様の多くの変形および置換が、本開示の範囲内に含まれる。好ましい態様のいくつかの利益および利点が述べられるが、本開示の範囲は、特定の利益、使用、または目的に限定されるようには意図されない。むしろ、本開示の態様は、異なるワイヤレス技術、システム構成、ネットワーク、および送信プロトコルに広く適用可能であるように意図されており、そのうちのいくつかは、図面および好ましい態様の以下の説明において例として例示される。詳細な説明および図面は、限定ではなく、本開示の単なる例示であり、本開示の範囲は、添付の特許請求の範囲およびそれらの同等物によって定義されている。
【００１５】
[0023]広く普及している（popular）ワイヤレスネットワーク技術は、様々なタイプのＷＬＡＮを含み得る。ＷＬＡＮは、広く使用されるネットワーキングプロトコルを用いて、近くのデバイスを互いに相互接続するために使用され得る。ここで説明される様々な態様は、ワイヤレスプロトコルのような、任意の通信規格に適用され得る。
【００１６】
[0024]いくつかの態様では、ワイヤレス信号は、直交周波数分割多重化（ＯＦＤＭ）、直接シーケンススペクトル拡散（ＤＳＳＳ：direct-sequence spread spectrum）通信、ＯＦＤＭおよびＤＳＳＳ通信の組合せ、または他のスキームを使用して、８０２．１１プロトコルに従って送信され得る。８０２．１１プロトコルのインプリメンテーションは、センサ、メータリング（metering）、およびスマートグリッドネットワークのために使用され得る。有利なことに、８０２．１１プロトコルをインプリメントするある特定のデバイスの態様は、他のワイヤレスプロトコルをインプリメントするデバイスよりも少ない電力を消費し得、および／または、例えば、約１キロメートル以上の、比較的長い範囲にわたってワイヤレス信号を送信するために使用され得る。
【００１７】
[0025]いくつかのインプリメンテーションでは、ＷＬＡＮは、ワイヤレスネットワークにアクセスするコンポーネントである様々なデバイスを含む。例えば、２つのタイプのデバイス：アクセスポイント（ＡＰ）およびクライアント（局または「ＳＴＡ」とも呼ばれる）が存在し得る。一般に、ＡＰは、ＷＬＡＮのためのハブまたは基地局として機能し得、ＳＴＡは、ＷＬＡＮのユーザとして機能する。例えば、ＳＴＡは、ラップトップコンピュータ、携帯情報端末（ＰＤＡ）、モバイル電話などであり得る。一例では、ＳＴＡは、インターネットまたは他のワイドエリアネットワークへの汎用的な接続性を取得するために、Ｗｉ−Ｆｉ（例えば、ＩＥＥＥ８０２．１１プロトコル）準拠のワイヤレスリンクを介してＡＰに接続する。いくつかのインプリメンテーションでは、ＳＴＡはまた、ＡＰとして使用され得る。
【００１８】
[0026]アクセスポイントはまた、ノードＢ、無線ネットワークコントローラ（ＲＮＣ）、ｅノードＢ、基地局コントローラ（ＢＳＣ）、ベーストランシーバ基地局（ＢＴＳ）、基地局（ＢＳ）、トランシーバ機能（ＴＦ）、無線ルータ、無線トランシーバ、接続ポイント、または何らかの他の用語を備えるか、それらとしてインプリメントされるか、またはそれらとして知られ得る。
【００１９】
[0027]局はまた、アクセス端末（ＡＴ）、加入者局、加入者ユニット、モバイル局、遠隔局、遠隔端末、ユーザ端末、ユーザエージェント、ユーザデバイス、ユーザ機器、または何らかの他の用語を備えるか、それらとしてインプリメントされるか、またはそれらとして知られ得る。いくつかのインプリメンテーションでは、局は、セルラ電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の適切な処理デバイスを備え得る。したがって、ここで教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、または衛星ラジオ）、ゲームデバイスまたはシステム、全地球測位システムデバイス、またはワイヤレス媒体を介して通信するように構成されたその他任意の適切なデバイス中に組み込まれ得る。
【００２０】
[0028]「アソシエートする（associate）」、または「アソシエーション（association）」という用語、あるいはその任意の変形は、本開示のコンテキスト内で可能な限り広い意味を与えられるべきである。例として、第１の装置が第２の装置とアソシエートするとき、２つの装置は、直接アソシエートされ得るか、または中間装置が存在し得ることが理解されるべきである。簡潔さのために、２つの装置の間でアソシエーションを確立するためのプロセスは、装置のうちの一方による「アソシエーション要求」に続いて、他方の装置による「アソシエーション応答」を必要とするハンドシェイクプロトコルを使用して説明される。ハンドシェイクプロトコルは、例として、認証を提供するためのシグナリングのような、他のシグナリングを必要とし得ることが、当業者によって理解されるであろう。
【００２１】
[0029]「第１の（first）」、「第２の（second）」などのような指定を用いた、ここでの要素へのいずれの参照も、概してこれらの要素の数量または順序を限定しない。むしろ、これらの指定は、２つ以上の要素または要素の複数のインスタンスを区別する便利な方法としてここで使用される。したがって、第１の要素および第２の要素への参照は、２つの要素しか用いることができないこと、または第１の要素が第２の要素に先行しなければならないことを意味するものではない。加えて、項目のリスト「のうちの少なくとも１つ」という表現は、単一の構成要素（members）を含む、それらの項目の任意の組合せを指す。例として、「Ａ、Ｂ、またはＣのうちの少なくとも１つ」は、Ａ、またはＢ、またはＣ、あるいはこれらの任意の組合せ（例えば、Ａ−Ｂ、Ａ−Ｃ、Ｂ−Ｃ、およびＡ−Ｂ−Ｃ）をカバーするように意図される。
【００２２】
[0030]上述されたように、ここで説明されるある特定のデバイスは、例えば、８０２．１１規格をインプリメントし得る。このようなデバイスは、ＳＴＡまたはＡＰまたは他のデバイスとして使用されるかどうかにかかわらず、スマートメータリングのために、またはスマートグリッドネットワークにおいて使用され得る。このようなデバイスは、センサアプリケーションを提供し得、またはホームオートメーションにおいて使用され得る。これらデバイスは、その代わりにまたはそれに加えて、例えば、パーソナルヘルスケアのための、ヘルスケアコンテキストにおいて使用され得る。これらはまた、マシンツーマシン通信をインプリメントするために、または（例えば、ホットスポットとともに使用するための）拡張された範囲のインターネット接続性を可能にするために、監視（surveillance）のために使用され得る。
【００２３】
[0031]図１は、本開示の態様が用いられ得る実例的なワイヤレス通信システム１００を示す。ワイヤレス通信システム１００は、例えば、８０２．１１規格のような、ワイヤレス規格に準じて動作し得る。ワイヤレス通信システム１００は、ＡＰ １０４を含み得、それは、複数のＳＴＡ（例えば、ＳＴＡ １１２、１１４、１１６、および１１８）と通信する。
【００２４】
[0032]様々なプロセスおよび方法が、ＡＰ １０４とこれらＳＴＡとの間のワイヤレス通信システム１００における送信のために使用され得る。例えば、信号は、ＯＦＤＭ／ＯＦＤＭＡ技法に従って、ＡＰ １０４とこれらＳＴＡとの間で送受信され得る。この場合には、ワイヤレス通信システム１００は、ＯＦＤＭ／ＯＦＤＭＡシステムと呼ばれ得る。あるいは、信号は、ＣＤＭＡ技法に従って、ＡＰ １０４とこれらＳＴＡとの間で送受信され得る。この場合には、ワイヤレス通信システム１００は、ＣＤＭＡシステムと呼ばれ得る。
【００２５】
[0033]ＡＰ １０４からこれらＳＴＡのうちの１つまたは複数ヘの送信を容易にする通信リンクは、ダウンリンク（ＤＬ）１０８と呼ばれ得、これらＳＴＡのうちの１つまたは複数からＡＰ １０４への送信を容易にする通信リンクは、アップリンク（ＵＬ）１１０と呼ばれ得る。あるいは、ダウンリンク１０８は、順方向リンクまたは順方向チャネルと呼ばれ得、アップリンク１１０は、逆方向リンクまたは逆方向チャネルと呼ばれ得る。いくつかの態様では、ＤＬ通信は、ユニキャストまたはマルチキャストトラフィックのインジケーションを含み得る。
【００２６】
[0034]ＡＰ １０４は、ＡＰ １０４が、著しいアナログデジタル変換（ＡＤＣ）クリッピングノイズを引き起こすことなく、同時に１つより多くのチャネル上でＵＬ通信を受信し得るように、いくつかの態様において（in some aspects）隣接チャネル干渉（ＡＣＩ）を抑制し得る。ＡＰ １０４は、例えば、チャネルごとに別個の有限インパルス応答（ＦＩＲ）フィルタを有すること、または増大されたビット幅で（with）より長いＡＤＣバックオフ期間を有することによって、ＡＣＩの抑制を改善し得る。
【００２７】
[0035]ＡＰ １０４は、基地局として機能し、基本サービスエリア（ＢＳＡ）１０２においてワイヤレス通信カバレッジを提供し得る。ＢＳＡ（例えば、ＢＳＡ １０２）は、ＡＰ（例えば、ＡＰ １０４）のカバレッジエリアである。ＡＰ １０４は、ＡＰ １０４とアソシエートされかつ通信のためにＡＰ １０４を使用するこれらＳＴＡと共に、基本サービスセット（ＢＳＳ）と呼ばれ得る。ワイヤレス通信システム１００は、中央ＡＰ（例えば、ＡＰ １０４）を有していないことがあり得、むしろこれらＳＴＡ間のピアツーピアネットワークとして機能し得ることに留意されたい。したがって、ここで説明されるＡＰ １０４の機能は、代替として、これらＳＴＡのうちの１つまたは複数によって実行され得る。
【００２８】
[0036]ＡＰ １０４は、ワイヤレス通信システム１００の他のノード（ＳＴＡ）に、ダウンリンク１０８のような通信リンクを介して、ビーコン信号（または、単に「ビーコン」）を１つまたは複数のチャネル（例えば、各チャネルが周波数帯域幅を含む、複数の狭帯域チャネル)上で送信し得、これは、他のノード（ＳＴＡ）がそれらのタイミングをＡＰ １０４と同期するのに役立ち得、または、これは、他の情報または機能を提供し得る。このようなビーコンは、周期的に送信され得る。一態様では、連続した送信の間の期間は、スーパーフレームと呼ばれ得る。ビーコンの送信は、多数のグループまたはインターバルに分割され得る。一態様では、ビーコンは、それに限定されるものではないが、共通クロックを設定するためのタイムスタンプ情報、ピアツーピアネットワーク識別子、デバイス識別子、能力情報、スーパーフレーム持続時間、送信方向情報、受信方向情報、近隣リスト、および／または拡張近隣リストなどの情報を含み得、これらのいくつかは、以下でさらに詳細に説明される。したがって、ビーコンは、いくつかのデバイスの間で共通であり（例えば、共有される）かつ所与のデバイスに固有の情報を含み得る。
【００２９】
[0037]いくつかの態様では、ＳＴＡ（例えば、ＳＴＡ １１４）は、ＡＰ １０４に通信を送るおよび／またはＡＰ １０４から通信を受信するために、ＡＰ １０４とアソシエートすることを必要とされ得る。一態様では、アソシエートするための情報は、ＡＰ １０４によるビーコンブロードキャストの中に含まれる。このようなビーコンを受信するために、ＳＴＡ １１４は、例えば、カバレッジ領域にわたる広範囲のカバレッジサーチを実行し得る。サーチはまた、例えば、灯台方式でカバレッジ領域をスイープすることによって、ＳＴＡ １１４によって実行され得る。アソシエートするための情報を受信した後、ＳＴＡ １１４は、ＡＰ １０４に、アソシエーションプローブまたは要求のような、基準信号を送信し得る。いくつかの態様では、ＡＰ １０４は、例えば、インターネットまたは公衆交換電話網（ＰＳＴＮ）のような、より大きいネットワークと通信するために、バックホールサービスを使用し得る。
【００３０】
[0038]ある態様では、ＡＰ １０４は、様々な機能を実行するための１つまたは複数のコンポーネントを含み得る。例えば、ＡＰ １０４は、ＥＤＣＡパラメータを調整することに関連するプロシージャを実行するために、ＥＤＣＡコンポーネント１２４を含み得る。この例では、ＥＤＣＡコンポーネント１２４は、ＡＰ １０４が適応型ＥＤＣＡをサポートするかどうかを決定するように構成され得る。ＥＤＣＡコンポーネント１２４は、この決定に基づいて、ＳＴＡ（例えば、ＳＴＡ １１４）にメッセージを送信するように構成され得る。
【００３１】
[0039]別の態様では、ＳＴＡ １１４は、様々な機能を実行するための１つまたは複数のコンポーネントを含み得る。例えば、ＳＴＡ １１４は、ＳＴＡ １１４のＥＤＣＡパラメータを調整することに関連するプロシージャを実行するために、ＥＤＣＡコンポーネント１２６を含み得る。この例では、ＥＤＣＡコンポーネント１２６は、通信パラメータ（例えば、信号強度または距離パラメータ）に基づいて、少なくとも１つのＥＤＣＡパラメータを調整するように構成され得る。ＥＤＣＡコンポーネント１２６は、少なくとも１つの調整されたＥＤＣＡパラメータに基づいて、ＡＰ（例えば、ＡＰ １０４）と通信するように構成され得る。
【００３２】
[0040]Ｗｉ−Ｆｉネットワークでは、ＡＰおよびＳＴＡなどのワイヤレスデバイスは、データが別のワイヤレスデバイスへ送信され得るかどうかを決定するという目的のために、送信チャネルがビジーであるかまたはアイドルであるかを決定するために、空きチャネル判定（ＣＣＡ：clear channel assessment）を実行し得る。ＣＣＡは、２つのコンポーネント：キャリアセンス（ＣＳ）およびエネルギー検出を有する。キャリアセンスは、他のワイヤレスデバイスからの、受信機が送信機からのワイヤレス信号を捕捉し、送信機と同期することを可能にする信号である、到来するＷｉ−Ｆｉ信号プリアンブルを検出および復号するワイヤレスデバイス（例えば、ＡＰまたはＳＴＡ）の能力を指す。例えば、第１のＡＰが、Ｗｉ−Ｆｉ信号プリアンブルをブロードキャストし得、Ｗｉ−Ｆｉ信号プリアンブルは、第２のＡＰまたはＳＴＡによって検出され得る。同様に、第３のＡＰが、Ｗｉ−Ｆｉ信号プリアンブルをブロードキャストし得、Ｗｉ−Ｆｉ信号プリアンブルは、第２のＡＰによって検出され得る。第２のＡＰがＷｉ−Ｆｉ信号プリアンブルのうちの１つまたは複数を検出したとき、第２のＡＰは、送信チャネルがビジーであることを決定し、データを送信しないことがあり得る。ＣＣＡは、Ｗｉ−Ｆｉ信号プリアンブルに関連付けられた送信フレームの長さの間、ビジーのままであり得る。
【００３３】
[0041]ＣＣＡの第２のコンポーネントは、エネルギー検出であり、これは、送信チャネル上に存在するエネルギーレベルを検出するワイヤレスデバイスの能力を指す。エネルギーレベルは、異なる干渉ソース、Ｗｉ−Ｆｉ送信、ノイズフロア、および／または周辺エネルギーに基づき得る。Ｗｉ−Ｆｉ送信は、破損している、またはあまりにも弱く送信がもはや復号されることができない、識別不能なＷｉ−Ｆｉ送信を含み得る。送信チャネルがビジーである正確な時間の長さが既知であり得るキャリアセンスとは異なり、エネルギー検出は、エネルギーが依然として存在するかどうかを決定するために、送信チャネルの周期的なサンプリングを使用する。加えて、エネルギー検出は、報告されたエネルギーレベルが、送信チャネルをビジーまたはアイドルであるとして報告するのに適正（adequate）であるかどうかを決定するために使用される少なくとも１つのしきい値を必要とし得る。このエネルギーレベルは、ＥＤレベル／ＥＤしきい値レベルまたはＣＣＡ感度レベルと呼ばれ得る。例えば、ＥＤレベルが、しきい値を上回る場合、ワイヤレスデバイスは、送信するのを控えることによって、他のデバイスに譲歩（defer to）し得る。
【００３４】
[0042]図２は、動的感度制御を使用するワイヤレスネットワーク（例えば、Ｗｉ−Ｆｉネットワーク）の図２００である。図２００は、ＢＳＡ ２０４内でブロードキャストまたは送信するＡＰ ２０２を例示する。ＢＳＡ ２０４は、ＳＴＡ ２０６、２０８、２１０（またはその他任意の数のＳＴＡ）を包含し得る。ある態様では、ＳＴＡ ２０６は、ＡＰ ２０２に近接し、したがって、セルの中心にあり得る。ＳＴＡ ２０６、２０８、２１０は、動的感度制御を実行し得、これは、ＳＴＡが、ＡＰ ２０２とのＲＳＳＩに基づいて、エネルギー検出レベル（またはＥＤレベル）を設定することを可能にする。ある態様では、ＥＤレベルは、下記の式（式１）に基づいて決定され得る：
【００３５】
【数１】
2018500837.tif 000003
【００３６】
[0043]ＥＤレベルは、ＲＳＳＩ、Ｍ、ＥＤｍａｘ、およびＥＤｍｉｎに基づいて決定され得る。ＲＳＳＩは、ＡＰ ２０２から受信されるビーコンメッセージ２１８から測定され得る。図２は、ビーコンメッセージ２１８がＳＴＡ ２０６へ送信されているのを例示しているが、ＳＴＡ ２０８、２１０もまた、ビーコンメッセージ２１８を受信し得る。値Ｍは、各ＳＴＡ内で予め設定され得るまたはＡＰ ２０２からの管理またはアクションフレーム中で受信され得る調整可能なマージン(tunable margin)（または予め設定されたバックオフ値）を表し得る。ＳＴＡについてのＥＤ範囲内で、ＥＤｍａｘは、最大ＥＤレベル（例えば、−４０ｄＢｍ）を表し、ＥＤｍｉｎは、最低ＥＤレベル（例えば、−８２ｄＢｍ）を表す。動的感度制御は、ＳＴＡが、ＥＤレベルを介して、互いに譲歩し合うことを可能にする。ＡＰ ２０２により近いＳＴＡは、より良い再利用のためにより高いＥＤレベルを有する。より高いＥＤレベルは、より小さいエネルギー譲歩エリア（energy deferrals areas）に対応する。一方で、より低いＥＤレベルは、より大きいエネルギー譲歩エリアに対応する。例えば、ＳＴＡ ２０６は、ＢＳＡ ２０４のセルの中心内にあり、第１のエネルギー譲歩エリア２１２を有し得る。ＳＴＡ ２０６よりもセルの中心から遠くに位置するＳＴＡ ２０８は、ＳＴＡ ２０６よりも低いＥＤレベルを有し得、エネルギー譲歩エリア２１２よりも大きい第２のエネルギー譲歩エリア２１４を有し得る。ＳＴＡ ２０８よりもセルの中心から遠くに位置するＳＴＡ ２１０は、ＳＴＡ ２０８よりも低いＥＤレベルを有し得、エネルギー譲歩エリア２１２、２１４の両方よりも大きい第３のエネルギー譲歩エリア２１６を有し得る。図２に示されるように、ＳＴＡ ２０６、２０８、２１０の各々は、他のＳＴＡのエネルギー譲歩エリア内にある。例えば、ＳＴＡ ２０６は、ＳＴＡ ２０８、２１０の第２および第３のエネルギー譲歩エリア２１４、２１６内にそれぞれある。したがって、ＢＳＳ内に隠れＳＴＡ（またはノード）は存在しない。
【００３７】
[0044]図２に戻って参照すると、バッファが一杯なシナリオでは（例えば、ＳＴＡ ２０６、２０８、２１０の全てが、ＡＰ ２０２に送信すべきデータを有しているとき）、ＳＴＡ ２０６は、セルの中心により近いので、エネルギー譲歩エリア２１４、２１６と比較してより高いＥＤレベルおよびより小さいエネルギー譲歩エリア（例えば、エネルギー譲歩エリア２１２）を有し得る。結果として、ＳＴＡ ２０６は、ＳＴＡ ２１０およびＢＳＡ ２０４のエッジにより近い他のＳＴＡと比較して、より多くのエアタイム（air time）を受け取り（receive）得る。例えば、ＳＴＡ ２０６は、ＳＴＡ ２０８、２１０が、ＳＴＡ ２０６に関連付けられた第１のエネルギー譲歩エリア２１２内にあるので、ＳＴＡ ２０８、２１０が送信している場合、送信しないことがあり得る。ＳＴＡ ２１０は、ＳＴＡ ２０６、２０８が、ＳＴＡ ２１０に関連付けられた第３のエネルギー譲歩エリア２１６内にあるので、ＳＴＡ ２０６、２０８が送信している場合、送信しないことがあり得る。さらに、第３のエネルギー譲歩エリア２１６が第１のエネルギー譲歩エリア２１２よりも大きいので、ＳＴＡ ２１０は、送信を譲歩するより大きい可能性を有する。したがって、ＳＴＡ ２０６とＳＴＡ ２１０の間では、ＳＴＡ ２１０がより大きいエネルギー譲歩エリアを有するので、ＳＴＡ ２１０は、送信する可能性がより低くなり得る。セルのエッジの近くのＳＴＡがエアタイム不足に陥らないように、セルのエッジの方に位置するＳＴＡのためのエアタイムを増大させる必要性が存在する。エッジＳＴＡのためのエアタイムを増大させる１つの方法が、動的感度制御のための適応型ＥＤＣＡを使用することである。
【００３８】
[0045]ＥＤＣＡを使用することによって、トラフィックは、低い優先度のトラフィックよりも、高い優先度のトラフィックが送られる可能性が高くなるように優先順位をつけられる。ＥＤＣＡメカニズムは、４つのアクセスカテゴリ：ＡＣ＿ＢＫ、ＡＣ＿ＢＥ、ＡＣ＿ＶＩ、ＡＣ＿ＶＯ（最も低い優先度から最も高い優先度の順に列挙される）を定義する。ＡＣ＿ＢＫは、バックグラウンドトラフィックを表し、これは、最も低い優先度を有し得る。ＡＣ＿ＢＥは、その時点で利用可能なベストエフォート（best efforts）を使用して送られ得るトラフィックを表す。ＡＣ＿ＶＩは、ビデオトラフィックを表し、ＡＣ＿ＶＩは、音声トラフィックを表す。より高い優先度のトラフィック（例えば、ＡＣ＿ＶＯ）を有するＳＴＡは、より低い優先度のトラフィック（例えば、ＡＣ＿ＢＥ）を有する別のＳＴＡと比較して、データを送る前により少なく待機し得る。
【００３９】
[0046]４つのアクセスカテゴリの各々は、４つのＥＤＣＡパラメータのセット：ＣＷＭＩＮ（最小コンテンションウィンドウ）、ＣＷＭＡＸ（最大コンテンションウィンドウ）、ＡＩＦＳＮ（アービトレーションインターフレームスペース数）、およびＴＸＯＰ（送信機会）に関連付けられ得る。ある態様では、ＣＷＭＩＮは、ワイヤレスデバイスがデータを送信し得る前に、このワイヤレスデバイスがバックオフする必要があり得る最小コンテンションウィンドウ（またはランダムな時間量）を表し得る。ある態様では、ＣＷＭＩＮは、カウンタに類似し得る。より大きなＣＷＭＩＮ値は、ワイヤレスデバイスが、データを送信するように試みる前に、より長い時間期間の間、バックオフする（またはカウントする）必要があることを意味する。
【００４０】
[0047]ＣＷＭＩＮ期間が経過した後、ワイヤレスデバイスは、データを送信するように試み得る。送信が失敗した場合、ワイヤレスデバイスは、ＣＷＭＩＮ値を２倍に増大し得る（例えば、ＣＷＭＩＮ＊２）。ワイヤレスデバイスは、ＣＷＭＩＮ＊２の期間の間待機し、再びデータを送信するように試み得る。送信が再び失敗した場合、ワイヤレスデバイスは、ＣＷＭＩＮ値をさらに２倍に増大し得る（例えば、ＣＷＭＩＮ＊４）。再送信が再び失敗した場合、ＣＷＭＩＮは、新しいＣＷＭＩＮ値が、ＣＷＭＡＸ以上になるまでさらに倍にされ、その時点において、ＣＷＭＩＮは、ＣＷＭＡＸを超えない（およびＣＷＭＩＮは、ＣＷＭＡＸに設定され得る）。アービトレーションインターフレームスペース数を表すＡＩＦＳＮは、ＣＷＭＩＮのランダムなバックオフの前に生じる固定されたバックオフの持続時間を表し得る。したがって、より小さいＡＩＦＳＮは、より小さい固定されたバックオフを表す。ＴＸＯＰ、すなわち送信機会は、データ／データパケットの持続時間を表す。より長いＴＸＯＰは、データ送信のためのエアタイムを増大させ、これは、より多くのデータが送信されることを可能にする。
【００４１】
[0048]ＤＳＣのための適応型ＥＤＣＡを使用することによって、より低いＥＤレベルまたはより低いリンクＲＳＳＩを有するＳＴＡは、よりアグレッシブ（aggressive）なＥＤＣＡパラメータを選び得、エッジＳＴＡがより多くのエアタイムを有することを可能にする。この態様では、ＤＳＣは、依然として隠れノードが存在しないように保たれる。図３は、適応型ＥＤＣＡのいくつかの実施形態を例示する。
【００４２】
[0049]図３は、動的感度制御のための適応型ＥＤＣＡ調整をインプリメントするワイヤレスネットワークの実例的な図３００である。図３００は、ＢＳＡ ３０４内でブロードキャストまたは送信するＡＰ ３０２を例示する。ＳＴＡ ３０６、３０８、３１０は、ＢＳＡ ３０４内にあり、ＡＰ ３０２によってサービスされる。ＳＴＡ ３０６は、ＳＴＡ ３０８、３１０と比較して、ＡＰ ３０２から最も遠く離れているので、ＳＴＡ ３０６は、ＳＴＡ ３０８、３１０と比較して、動的感度制御下では、より少ないエアタイムを受け取り得る。ＳＴＡ ３０６、３０８、３１０の中で、ＳＴＡ ３０６は、ＳＴＡ ３０８、３１０と比較して、最も大きいエネルギー譲歩エリアを有し得る。より多くのエアタイムを受け取るために、ＳＴＡ ３０６は、測定されたＥＤレベルに基づいて、ＥＤＣＡアグレッシブネス（EDCA aggressiveness）を調整し得る。ＥＤＣＡアグレッシブネスは、より低いＥＤレベルを決定した際に、よりアグレッシブなＥＤＣＡパラメータを選ぶことによって調整され得る。
【００４３】
[0050]１つの構成では、ＳＴＡ ３０６は、１つまたは複数のＥＤＣＡパラメータを自律的に調整し得る。この構成では、ＳＴＡ ３０６は、ＡＰ ３０２から第１のメッセージ３１２を受信し得る。第１のメッセージ３１２は、ＡＰ ３０２からのビーコンメッセージまたは何らかの他のデータ送信（例えば、アクションフレームまたは管理フレーム）であり得る。第１のメッセージ３１２に基づいて、ＳＴＡ ３０６は、ＳＴＡ ３０６とＡＰ ３０２の間のＲＳＳＩを決定し得る。決定されたＲＳＳＩを使用して、ＳＴＡ ３０６は、式１を使用してＥＤレベルを決定し得る：
【００４４】
【数２】
2018500837.tif 000004
【００４５】
[0051]一例では、決定されたＲＳＳＩが−９０ｄＢｍであり、Ｍが−２５ｄＢｍであり、ＥＤｍａｘが−４０ｄＢｍであり、ＥＤｍｉｎが−８２ｄＢｍである場合には、ＥＤレベルは、−６５ｄＢｍになるであろう。動的感度制御に基づいてＥＤレベルを計算した後、ＳＴＡ ３０６は、下記の式に基づいて、正規化されたＥＤレベルを決定または計算し得る：
【００４６】
【数３】
2018500837.tif 000005
【００４７】
[0052]式２において、ηｅｄは、０＜ηｅｄ＜１の範囲を有する。ＥＤが−６５ｄＢｍであり、ＥＤｍｉｎが−８２ｄＢｍであり、ＥＤｍａｘが−４０ｄＢｍであると仮定すると、そのとき、ηｅｄは、およそ０．４０である。
【００４８】
[0053]ηｅｄを決定した後、ＳＴＡ ３０６は、正規化されたＥＤレベルに基づいて、少なくとも１つのＥＤＣＡパラメータを調整し得る。ある態様では、正規化されたＥＤレベル、ηｅｄは、ＢＳＡ内の全てのＳＴＡの間でＥＤレベルを比較するための測定基準として使用され得る。ηｅｄが０により近いとき、ＥＤレベルは、相対的に低いと考えられ得、ＳＴＡ ３０６は、より多くのエアタイムを受け取るためによりアグレッシブなＥＤＣＡパラメータを選び得る。一方で、ηｅｄが１により近いとき、ＥＤレベルは、相対的に高いと考えられ得、ＳＴＡ ３０６は、よりアグレッシブでないＥＤＣＡパラメータを選び得る。一態様では、ＳＴＡ ３０６は、ＣＷＭＩＮパラメータを調整することを選び得る。ＣＷＭＩＮパラメータは、［ＣＷＭＩＮＭＩＮ，ＣＷＭＩＮＭＡＸ］（例えば、［１５，１０２３］）の範囲内に制限され得る。下記の式３において、ＳＴＡ ３０６は、より低いηｅｄに基づいて、より小さい値になるようにＣＷＭＩＮパラメータを調整し得る：
【００４９】
【数４】
2018500837.tif 000006
【００５０】
[0054]同様の調整が、ＥＤＣＡパラメータ、ＣＷＭＡＸおよびＡＩＦＳＮ、についても行われ得る。ある態様では、ＣＷＭＡＸパラメータは、［ＣＷＭＡＸＭＩＮ，ＣＷＭＡＸＭＡＸ］（例えば、［９００，１１００］）の範囲内に制限され得る。式４に示されるように、ＣＷＭＩＮと同様に、ＣＷＭＡＸは、ηｅｄに基づいて調整され得る：
【００５１】
【数５】
2018500837.tif 000007
【００５２】
[0055]なお別の態様では、ＡＩＦＳＮは、［ＡＩＦＳＮＭＩＮ，ＡＩＦＳＮＭＡＸ］（例えば、［０，１０］）の範囲内に制限され得る。式５に示されるように、ＡＩＦＳＮは、ηｅｄに基づいて調整され得る：
【００５３】
【数６】
2018500837.tif 000008
【００５４】
[0056]第４のＥＤＣＡパラメータ、ＴＸＯＰ、もまた調整され得る。ＴＸＯＰは、［ＴＸＯＰＭＩＮ，ＴＸＯＰＭＡＸ］（例えば、［０ｍｓ，５ｍｓ］）の範囲内に制限され得る。ＴＸＯＰは、より低いηｅｄに対してより大きい値になるように調整され得る。式６に示されるように、ＴＸＯＰは、ηｅｄに基づいて調整され得る：
【００５５】
【数７】
2018500837.tif 000009
【００５６】
[0057]ある態様では、ＳＴＡ ３０６は、ηｅｄに基づいて、上記のＥＤＣＡパラメータのうちの１つまたは複数を調整し得る。別の態様では、ＳＴＡ ３０６は、ηｅｄがしきい値（例えば、０．５０）未満であるときに、ＥＤＣＡパラメータのうちの１つまたは複数を調整し得、さもなければＥＤＣＡパラメータを調整しないことがあり得る。加えて、前述は、ＳＴＡ ３０６がＥＤＣＡパラメータを調整することのみを開示しているが、他のＳＴＡ（例えば、ＳＴＡ ３０８、３１０）もまた、第１のメッセージ３１２を受信し、決定されたηｅｄに基づいて、少なくとも１つのＥＤＣＡパラメータを調整し得る。
【００５７】
[0058]別の構成では、正規化されたＥＤレベルに基づいて１つまたは複数のＥＤＣＡパラメータを自律的に調整する代わりに、ＳＴＡ ３０６は、正規化されたＲＳＳＩに基づいて１つまたは複数のＥＤＣＡパラメータを自律的に調整し得る。前述したように、ＳＴＡ ３０６は、受信された第１のメッセージ３１２に基づいて、ＳＴＡ３０６とＡＰ ３０２の間のＲＳＳＩ値を決定し得る。第１のメッセージ３１２は、ＡＰビーコンまたは何らかの他のメッセージであり得る。ＲＳＳＩは、ＲＳＳＩがＲＳＳＩＭＩＮ未満である場合、ＲＳＳＩがＲＳＳＩＭＩＮに設定され得るように、［ＲＳＳＩＭＩＮ，ＲＳＳＩＭＡＸ］（例えば、［−１２０ｄＢｍ，−５０ｄＢｍ］）の範囲内に制約され得る。同様に、ＲＳＳＩは、ＲＳＳＩがＲＳＳＩＭＡＸよりも大きい場合、ＲＳＳＩＭＡＸに設定され得る。入力としての制約されたＲＳＳＩにより、正規化されたＲＳＳＩ、ηｒｓｓｉは、式７に基づいて決定され得る：
【００５８】
【数８】
2018500837.tif 000010
【００５９】
[0059]ηｅｄと同様に、ηｒｓｓｉは、０＜ηｒｓｓｉ＜１の範囲を有する。ηｒｓｓｉが０により近いとき、ＳＴＡ ３０６は、セルエッジにより近くあり得、ＳＴＡ ３０６は、より多くのエアタイムを受け取るために、よりアグレッシブなＥＤＣＡパラメータを選び得る。一方で、ηｒｓｓｉが１により近いとき、ＳＴＡ ３０６は、セルの中心により近くあり得、ＳＴＡ ３０６は、よりアグレッシブでないＥＤＣＡパラメータを選び得る。ηｒｓｓｉを決定した後、ＳＴＡ ３０６は、決定されたηｒｓｓｉに基づいて、１つまたは複数のＥＤＣＡパラメータを調整し得る。式３−式６と同様に、ＥＤＣＡパラメータ−ＣＷＭＩＮ、ＣＷＭＡＸ、ＡＩＦＳＮ、およびＴＸＯＰ−は、下記の式により、ηｒｓｓｉに基づいて調整され得る：
【００６０】
【数９】
2018500837.tif 000011
【００６１】
[0060]別の構成では、ＥＤレベルまたはＲＳＳＩに基づいて１つまたは複数のＥＤＣＡパラメータを自律的に調整する代わりに、ＳＴＡ ３０６は、ＳＴＡ ３０６とＡＰ ３０２の間の正規化された距離（normalized distance）に基づいて、１つまたは複数のＥＤＣＡパラメータを自律的に調整し得る。ＳＴＡ ３０６は、受信された第１のメッセージ３１２に基づいて、ＳＴＡ３０６とＡＰ ３０２の間の距離を決定し得る。第１のメッセージ３１２は、ＡＰビーコンまたは何らかの他のメッセージであり得る。距離、Ｄは、ＤがＤＭＩＮ未満である場合、ＤがＤＭＩＮに設定され得るように、［ＤＭＩＮ，ＤＭＡＸ］（例えば、［１ｍ，１００ｍ］）の範囲内に制約され得る。ある態様では、ＤＭＡＸは、ＢＳＡ ３０４のセルエッジからの距離であり得る。ＳＴＡ ３０６は、少なくとも２つの方法においてＤを決定し得る。一態様では、ＳＴＡ ３０６は、ＲＳＳＩを距離と相関させるルックアップテーブルを有し得る。ＳＴＡ ３０６は、受信された第１のメッセージ３１２に基づいてＲＳＳＩ値を決定し、Ｄを決定するために、ＲＳＳＩ値をルックアップテーブルと比較し得る。したがって、最も低いＲＳＳＩは、ＤＭＡＸに対応し得、一方、最も高いＲＳＳＩは、ＤＭＩＮに対応し得る。別の態様では、ＳＴＡ ３０６は、ＡＰ ３０２のＧＰＳ座標に基づいて、ＡＰ ３０２からの距離を決定し得、これは、第１のメッセージ３１２中でＡＰ ３０２によってブロードキャストされ得る。入力としての制約されたＤにより、正規化されたＤ、ηｄは、式１２に基づいて決定され得る：
【００６２】
【数１０】
2018500837.tif 000012
【００６３】
[0061]ηｄを決定した後、ＳＴＡ ３０６は、決定されたηｄに基づいて、１つまたは複数のＥＤＣＡパラメータを調整し得る。ＥＤＣＡパラメータ−ＣＷＭＩＮ、ＣＷＭＡＸ、ＡＩＦＳＮ、およびＴＸＯＰ−は、下記の式によって決定され得る：
【００６４】
【数１１】
2018500837.tif 000013
【００６５】
[0062]ある態様では、上記の例において、ＳＴＡ ３０６は、チャネル上の測定されたエネルギーがＥＤレベルしきい値未満であるときに、送信に関して調整されたＥＤＣＡパラメータを使用し得る。測定されたエネルギーがＥＤレベル未満であるとき、調整されたＥＤＣＡパラメータは、ＳＴＡ ３０６が、データ送信のためのエアタイムを取得することに関してよりアグレッシブになることを可能にする。しかしながら、測定されたエネルギーレベルがＥＤレベルよりも大きいとき、ＳＴＡ ３０６は、チャネルがよりビジーでなくなるまで、ある時間期間の間、送信を延期(defer)し続け得る。
【００６６】
[0063]別の構成では、ＡＰ ３０２は、適応型ＥＤＣＡ調整をインプリメントするという目的のために、ＳＴＡ ３０６にシグナリングを提供し得る。この構成では、ＡＰ ３０２は、ＳＴＡ ３０６に第２のメッセージ３１４を送信し得る。第２のメッセージ３１４は、管理フレーム、アクションフレーム、またはトリガフレームであり得る。ある態様では、第２のメッセージ３１４は、調整が可能なＥＤＣＡパラメータのセットおよび／またはアクセスカテゴリごとのＥＤＣＡパラメータ当たりの調整範囲を示し得る。例えば、第２のメッセージ３１４は、ＣＷＭＩＮおよびＴＸＯＰパラメータを調整するように、ＳＴＡ ３０６に示すまたはＳＴＡ ３０６に命令し得る。別の例では、第２のメッセージ３１４は、［１５，８００］内になるようにＣＷＭＩＮ調整範囲を調整するように、ＳＴＡ ３０６に示すまたはＳＴＡ ３０６に命令し得る。別の態様では、第１のメッセージ３１２は、第２のメッセージ３１４よりも前に受信される必要がない。
【００６７】
[0064]別の態様では、第２のメッセージ３１４は、適応型ＥＤＣＡを可能にするためのインジケータを含み得る（例えば、第２のメッセージ３１４は、管理フレームまたはアクションフレームであり得る）。例えば、ＳＴＡ ３０６は、適応型ＥＤＣＡ調整をサポートすることが可能であり得るが、この機能は、不能にされ得る。ＡＰ ３０２は、ＳＴＡ ３０６に第２のメッセージ３１４を送信し得、第２のメッセージ３１４は、適応型ＥＤＣＡを可能にするようにＳＴＡ ３０６に命令し得る。第２のメッセージ３１４は、ＳＴＡ ３０６へブロードキャスト、マルチキャスト、またはユニキャストされ得る。ある態様では、ＡＰ ３０２は、ＳＴＡ ３０６が（例えば、１分当たり１ｍｓの）しきい値未満であるエアタイムを有するときに、適応型ＥＤＣＡを可能にするようにエッジＳＴＡ（例えば、ＳＴＡ ３０６）にシグナリングし得る。ＡＰ ３０２は、ＳＴＡ ３０６から報告を受信することによって、ＳＴＡ ３０６のためのエアタイムの量を決定し得る。この報告は、ある時間期間にわたってＳＴＡ ３０６が受け取ったエアタイムの量を示し得る。別のシナリオでは、ＡＰ ３０２は、第２のメッセージ３１４中でエアタイムしきい値をシグナリングし得る。受信されたしきい値に基づいて、および受信されたしきい値を、受け取っている現在のエアタイムの量と比較することによって、ＳＴＡ ３０６は、適応型ＥＤＣＡを可能にするかどうかを決定し得る。
【００６８】
[0065]別の態様では、ＡＰ ３０２およびＳＴＡ ３０６は、適応型ＥＤＣＡをサポートする能力をそれぞれ示し得る。ＡＰ ３０２は、第１のメッセージ３１２および／または第２のメッセージ３１４中で適応型ＥＤＣＡをサポートする能力を示し得る。ＳＴＡ ３０６は、適応型ＥＤＣＡをサポートする能力を示すために、ＡＰ ３０２に第３のメッセージ３１６を送信し得る（例えば、第３のメッセージ３１６は、アソシエーション要求または管理フレームであり得る）。ある態様では、ＳＴＡ ３０６は、第１のメッセージ３１２および／または第２のメッセージ３１４を受信することに応答して、ＡＰ ３０２に第３のメッセージ３１６を送り得る。別のシナリオでは、ＡＰ ３０２は、ＳＴＡ ３０６から第３のメッセージ３１６を受信することに応答して、第１のメッセージ３１２および／または第２のメッセージ３１４を送信し得る。ＳＴＡ ３０６は、ＡＰ ３０２が適応型ＥＤＣＡ調整をサポートするというインジケーションを受信した後に、ＡＰ ３０２を選択し得る。例えば、ＳＴＡ ３０６が複数のＡＰの範囲内にあるが、ＡＰ ３０２のみが、ＡＰ ３０２が適応型ＥＤＣＡをサポートすることを示した場合には、ＳＴＡ ３０６は、このインジケーションに基づいて、ＡＰ ３０２とアソシエートし得る。別の態様では、ＡＰ ３０２は、適応型ＥＤＣＡを可能にするように、適応型ＥＤＣＡをサポートすることが可能なＳＴＡのみに要求し得る。
【００６９】
[0066]別の構成では、ＥＤレベル、ＲＳＳＩ、またはＡＰ ３０２からの距離に基づいて、ＥＤＣＡを動的に計算する代わりに、ＳＴＡ ３０６は、現在のＥＤレベル、ＲＳＳＩ、または距離にマッピングされる予め設定されたＥＤＣＡ値を選択し得る。例えば、現在、ＥＤレベルが[−７２，−８２］ｄＢｍの範囲内にある場合、ＳＴＡ ３０６は、ＣＷＭＩＮ＝３１を選び得る。ある態様では、ＳＴＡ ３０６は、様々なＥＤＣＡパラメータに対応するまたはそれらに相関される様々なＥＤレベル、ＲＳＳＩ、およびまたは距離の値を有するルックアップテーブルを使用し得る。現在のＥＤレベル、ＲＳＳＩ、または距離に基づいて、ＳＴＡ ３０６は、適切なＥＤＣＡパラメータを選択する。この構成では、ＳＴＡ ３０６は、適正なＥＤＣＡパラメータを決定するために、いずれの計算も実行する必要がないことがあり得る。別の態様では、ルックアップテーブルは、第１および／または第２のメッセージ３１２、３１４中で、ＳＴＡ ３０６にＡＰ ３０２によって送信され得る。
【００７０】
[0067]別の構成では、ＡＰ ３０２は、ＡＰ ３０２とＳＴＡ ３０６の間の現在のリンクＲＳＳＩまたは距離に基づいて、全ての調整についてのＥＤＣＡパラメータ値および／またはＥＤレベルをＳＴＡ ３０６に動的にシグナリングし得る。ある態様では、ＡＰ ３０２は、ＳＴＡ ３０６から受信されるビーコンＲＳＳＩ報告に基づいて、またはＳＴＡ ３０６から受信されるデータパケットでアップリンクＲＳＳＩを測定することによって、リンクＲＳＳＩを決定し得る。別の態様では、ＡＰ ３０２は、ＳＴＡ ３０６が周期的にリンクＲＳＳＩを報告することまたはアップリンクデータパケットを送信することを必要とし得る。別の態様では、ＡＰ ３０２は、ＲＳＳＩ値がしきい値（例えば、５ｄＢｍ）を超えて変化した場合、ＳＴＡ ３０６がリンクＲＳＳＩを報告することを必要とし得る。別の態様では、ＡＰ ３０２は、（例えば、ＧＰＳ座標を使用して）ＡＰ ３０２とＳＴＡ ３０６の間の距離に基づいて、リンクＲＳＳＩを決定し得る。ＡＰ ３０２は、ルックアップテーブルに基づいて、距離をＲＳＳＩ値と相関し得る。
【００７１】
[0068]ＲＳＳＩを決定した後、ＡＰ ３０２は、（例えば、上記の式１を使用することによって）ＥＤレベルを計算し得る。ＥＤレベルを決定すると、ＡＰ ３０２は、前述の式（例えば、式２−式６）に基づいて、新しいＥＤＣＡパラメータ値を決定し得る。次に、ＡＰ ３０２は、第２のメッセージ３１４中で、計算されたＥＤレベルおよび／またはＥＤＣＡパラメータ値をＳＴＡ ３０６に送信し得る。ＡＰ ３０２は、ＡＰ ３０２とＳＴＡ ３０６の間のＲＳＳＩがしきい値（例えば、５ｄＢｍ）を超えて変化した場合、新しいＥＤレベルおよび／または新しいＥＤＣＡパラメータ値を送信し得る。前述の例は、ＥＤレベルに基づいてＥＤＣＡパラメータ値を計算することを開示しているが、ＥＤＣＡパラメータ値は、距離またはＲＳＳＩに基づいて計算され得る。少なくとも１つのＥＤＣＡパラメータを調整すると、ＳＴＡ ３０６は、この少なくとも１つの調整されたＥＤＣＡパラメータに基づいて、ＡＰ ３０２と通信し得る。
【００７２】
[0069]図４は、図１のワイヤレス通信システム１００内で通信するためのＥＤＣＡパラメータを調整し得るワイヤレスデバイス４０２の実例的な機能ブロック図を示す。ワイヤレスデバイス４０２は、ここで説明される様々な方法をインプリメントするように構成され得るデバイスの例である。例えば、ワイヤレスデバイス４０２は、ＳＴＡ １１２、１１４、１１６、および１１８のうちの１つを備え得る。
【００７３】
[0070]ワイヤレスデバイス４０２は、ワイヤレスデバイス４０２の動作を制御するプロセッサ４０４を含み得る。プロセッサ４０４はまた、中央処理ユニット（ＣＰＵ）と呼ばれ得る。読取専用メモリ（ＲＯＭ）とランダムアクセスメモリ（ＲＡＭ）の両方を含み得るメモリ４０６は、プロセッサ４０４に命令およびデータを提供し得る。メモリ４０６の一部はまた、不揮発性ランダムアクセスメモリ（ＮＶＲＡＭ）を含み得る。プロセッサ４０４は、典型的に、メモリ４０６内に記憶されたプログラム命令に基づいて、論理演算および算術演算を実行する。メモリ４０６中の命令は、ここで説明される方法をインプリメントするために（例えば、プロセッサ４０４によって）実行可能であり得る。
【００７４】
[0071]プロセッサ４０４は、１つまたは複数のプロセッサでインプリメントされる処理システムのコンポーネントであり得、またはそれを備え得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェアコンポーネント、専用ハードウェア有限ステートマシン、または情報の計算または他の操作を実行することができるその他任意の適切なエンティティの任意の組み合わせでインプリメントされ得る。
【００７５】
[0072]処理システムはまた、ソフトウェアを記憶するための機械可読媒体を含み得る。ソフトウェアは、ソフトウェア、ファームウェア、ミドルウェア、マイクロコード、ハードウェア記述言語、またはその他の方法で呼ばれるかにかかわらず、任意のタイプの命令を意味するように広く解釈されるべきである。命令は、（例えば、ソースコードフォーマット、バイナリコードフォーマット、実行可能コードフォーマット、またはその他任意の適切なコードのフォーマットの）コードを含み得る。これら命令は、１つまたは複数のプロセッサによって実行されると、処理システムに、ここで説明される様々な機能を実行させる。
【００７６】
[0073]ワイヤレスデバイス４０２はまた、ハウジング４０８を含み得、ワイヤレスデバイス４０２は、ワイヤレスデバイス４０２と遠隔デバイスの間のデータの送信および受信を可能にするために、送信機４１０および／または受信機４１２を含み得る。送信機４１０および受信機４１２は、トランシーバ４１４に組み合わされ得る。アンテナ４１６が、ハウジング４０８に取り付けられ、トランシーバ４１４に電気的に結合され得る。ワイヤレスデバイス４０２はまた、複数の送信機、複数の受信機、複数のトランシーバ、および／または複数のアンテナを含み得る。
【００７７】
[0074]ワイヤレスデバイス４０２はまた、トランシーバ４１４または受信機４１２によって受信される信号のレベルを検出および定量化するために使用され得る信号検出器４１８を含み得る。信号検出器４１８は、このような信号を、総エネルギー、シンボルごとのサブキャリア当たりのエネルギー（energy per subcarrier per symbol）、電力スペクトル密度、および他の信号として検出し得る。ワイヤレスデバイス４０２はまた、信号を処理する際に使用するためのＤＳＰ ４２０を含み得る。ＤＳＰ ４２０は、送信用のパケットを生成するように構成され得る。いくつかの態様では、パケットは、物理レイヤコンバージェンスプロシージャ（ＰＬＣＰ）プロトコルデータユニット（ＰＰＤＵ）を備え得る。
【００７８】
[0075]ワイヤレスデバイス４０２は、いくつかの態様では、ユーザインタフェース４２２をさらに備え得る。ユーザインタフェース４２２は、キーパッド、マイクロフォン、スピーカ、および／またはディスプレイを備え得る。ユーザインタフェース４２２は、ワイヤレスデバイス４０２のユーザに情報を伝えるおよび／またはユーザからの入力を受信する任意の要素またはコンポーネントを含み得る。
【００７９】
[0076]ワイヤレスデバイス４０２がＳＴＡ（例えば、ＳＴＡ １１４またはＳＴＡ ３０６）としてインプリメントされるとき、ワイヤレスデバイス４０２はまた、ＥＤＣＡコンポーネント４２４を備え得る。ＥＤＣＡコンポーネント４２４は、通信パラメータに基づいて、少なくとも１つのＥＤＣＡパラメータを調整するように構成され得る（例えば、１つまたは複数の調整されたＥＤＣＡパラメータ４２８）。ＥＤＣＡコンポーネント４２４は、少なくとも１つの調整されたＥＤＣＡパラメータに基づいて、アクセスポイントと通信するように構成され得る（例えば、ＥＤＣＡパラメータに基づく通信４３４）。１つの構成では、ＥＤＣＡコンポーネント４２４は、通信パラメータに基づいて、正規化された通信パラメータを決定することと、少なくとも１つのＥＤＣＡパラメータの各々に関連付けられた範囲および正規化された通信パラメータに基づいて、少なくとも１つのＥＤＣＡパラメータを調整することとによって、少なくとも１つのＥＤＣＡパラメータを調整するように構成され得る。この構成では、この範囲は、最大値および最小値を含み得る。ある態様では、正規化された通信パラメータは、通信パラメータ、通信パラメータに関連付けられた最大パラメータ値、および通信パラメータに関連付けられた最小パラメータ値に基づいて決定され得る。別の構成では、ＥＤＣＡコンポーネント４２４は、通信パラメータおよびＥＤＣＡパラメータルックアップテーブルに基づいて、少なくとも１つのＥＤＣＡパラメータを調整するように構成され得る。この構成では、ＥＤＣＡパラメータルックアップテーブルは、通信パラメータに関連付けられた１つまたは複数のＥＤＣＡパラメータを含み得る。ある態様では、通信パラメータは、ＥＤレベル、ワイヤレスデバイス４０２とアクセスポイントの間のＲＳＳＩ、またはワイヤレスデバイス４０２とアクセスポイントの間の距離であり得る。別の構成では、通信パラメータがＥＤレベルであるとき、通信パラメータは、ＲＳＳＩ、バックオフ値、最大ＥＤレベル、および最小ＥＤレベルに基づき得る。別の態様では、少なくとも１つのＥＤＣＡパラメータは、ＣＷＭＩＮ、ＣＷＭＡＸ、ＡＩＦＳＮ、またはＴＸＯＰを含み得る。別の構成では、ＥＤＣＡコンポーネント４２４は、アクセスポイントからメッセージを受信するように構成され得る。このメッセージは、調整が可能な１つまたは複数のＥＤＣＡパラメータ（例えば、調整用の１つまたは複数のＥＤＣＡパラメータ４３０）および１つまたは複数のＥＤＣＡパラメータの各々についての調整範囲（例えば、ＥＤＣＡパラメータについての調整範囲４３２）を示し得る。別の構成では、ＥＤＣＡコンポーネント４２４は、アクセスポイントからメッセージを受信するように構成され得る。このメッセージは、適応型ＥＤＣＡを可能にするためのインジケータを含み得る。別の構成では、ＥＤＣＡコンポーネント４２４は、アクセスポイントにメッセージを送信するように構成され得る。このメッセージは、ワイヤレスデバイス４０２が、適応型ＥＤＣＡが可能であるかどうかを示し得る。別の構成では、ＥＤＣＡコンポーネント４２４は、アクセスポイントからメッセージを受信するように構成され得る。このメッセ���ジは、通信パラメータまたは調整されるべき少なくとも１つのＥＤＣＡパラメータの各々についてのＥＤＣＡ値を含み得る。ＥＤＣＡ値は、通信パラメータに基づき得、少なくとも１つのＥＤＣＡパラメータは、このメッセージに基づいて調整され得る。
【００８０】
[0077]ワイヤレスデバイス４０２の様々なコンポーネントは、バスシステム４２６によって共に結合され得る。バスシステム４２６は、データバスのみならず、例えば、データバスに加えて、電力バス、制御信号バス、およびステータス信号バスを含み得る。ワイヤレスデバイス４０２のコンポーネントは、共に結合され得、または何らかの他のメカニズムを使用して互いへの入力を受け取るまたは提供し得る。
【００８１】
[0078]いくつかの別個のコンポーネントが図４に例示されているが、これらコンポーネントのうちの１つまたは複数が、組み合わされるまたは共通してインプリメントされ得る。例えば、プロセッサ４０４は、プロセッサ４０４に関して上記で説明された機能をインプリメントするためのみならず、信号検出器４１８、ＤＳＰ ４２０、ユーザインタフェース４２２、および／またはＥＤＣＡコンポーネント４２４に関して上記で説明された機能をインプリメントするためにも使用され得る。さらに、図４に例示されるコンポーネントの各々は、複数の別個の要素を使用してインプリメントされ得る。
【００８２】
[0079]図５は、ワイヤレス通信のためのＥＤＣＡパラメータを調整する実例的な方法５００のフローチャートである。方法５００は、装置（例えば、ＳＴＡ １１４、ＳＴＡ ３０６、３０８、３１０、または、例えば、ワイヤレスデバイス４０２）を使用して実行され得る。方法５００は、図４のワイヤレスデバイス４０２の要素に関して以下で説明されるが、他のコンポーネントが、ここで説明されるステップのうちの１つまたは複数をインプリメントするために使用され得る。
【００８３】
[0080]ブロック５０５において、装置は、アクセスポイントにメッセージを送信し得る。このメッセージは、装置がＥＤＣＡパラメータ調整をサポートするかどうかを示し得る。例えば、図３を参照すると、ＳＴＡ ３０６は、ＡＰ ３０２に第３のメッセージ３１６を送信し得る。第３のメッセージ３１６は、ＳＴＡ ３０６が、適応型ＥＤＣＡが可能であることを示し得る。
【００８４】
[0081]ブロック５１０において、装置は、ＥＤＣＡパラメータの調整を可能にするインジケータを受信し得る。ＥＤＣＡパラメータは、このインジケータを受信した後に調整され得る。例えば、図３を参照すると、ＳＴＡ ３０６は、ＡＰ ３０２から第２のメッセージ３１４を受信し得る。第２のメッセージ３１４は、ＳＴＡ ３０６において適応型ＥＤＣＡを可能にするためのインジケータを含み得、ＳＴＡ ３０６は、第２のメッセージ３１４を受信した後に、１つまたは複数のＥＤＣＡパラメータを調整し得る。
【００８５】
[0082]ブロック５１５において、装置は、調整すべきＥＤＣＡパラメータまたはＥＤＣＡパラメータを調整するためのＥＤＣＡパラメータ範囲のうちの少なくとも１つを示す、アクセスポイントからの情報を受信し得る。例えば、ＳＴＡ ３０６は、ＡＰ ３０２から第２のメッセージ３１４を受信し得る。第２のメッセージ３１４は、ＣＷＭＡＸを調整するようにＳＴＡ３０６に示し得る。別の例では、第２のメッセージ３１４は、［１００，１５０］の範囲の間でＣＷＭＩＮパラメータを調整するようにＳＴＡ ３０６に示し得る。
【００８６】
[0083]ブロック５２０において、この装置は、アクセスポイントから、ＥＤＣＡパラメータを調整するために装置によって使用される情報を受信し得る。この情報は、信号強度、距離、または調整されるべき少なくとも１つのＥＤＣＡパラメータの各々についてのＥＤＣＡ値を含み得る。例えば、ＳＴＡ ３０６は、ＡＰ ３０２から第２のメッセージ３１４を受信し得る。一態様では、第２のメッセージ３１４は、例えば、ＣＷＭＩＮおよびＣＷＭＡＸを調整するためにＳＴＡ ３０６によって使用されるＥＤレベルを含み得る。ＳＴＡ ３０６は、第２のメッセージ３１４中で受信されるＥＤレベルに基づいて、ＣＷＭＩＮおよびＣＷＭＡＸを調整し得る。別の態様では、第２のメッセージ３１４は、２０のＣＷＭＩＮ値および１０００のＣＷＭＡＸ値を含み得る。ＳＴＡ ３０６は、第２のメッセージ３１４中で受信される、対応する値に基づいて、ＣＷＭＩＮおよびＣＷＭＡＸ値を調整し得る。ＡＰ ３０２によって送信されるＣＷＭＩＮおよびＣＷＭＡＸ値は、ＥＤレベル、ＡＰ ３０２とＳＴＡ ３０６の間のＲＳＳＩ、またはＡＰ ３０２とＳＴＡ ３０６の間の距離に基づき得る。
【００８７】
[0084]ある態様では、ブロック５０５−５２０のうちの１つまたは複数がオプションであり得、適応型ＥＤＣＡの目的のために装置によって実行されないことがあり得る。
【００８８】
[0085]ブロック５２５において、装置は、アクセスポイントからの信号の信号強度または装置とアクセスポイントの間の距離に基づいて、ＥＤＣＡパラメータを調整し得る。この装置は、信号強度または距離に基づいて、正規化されたパラメータを決定することによって、およびＥＤＣＡパラメータに関連付けられた範囲および正規化されたパラメータに基づいて、少なくとも１つのＥＤＣＡパラメータを調整することによって、少なくとも１つのＥＤＣＡパラメータを調整し得る。この範囲は、最大値および最小値を含み得る。１つの構成では、正規化されたパラメータは、信号強度または距離、信号強度または距離に関連付けられた最大パラメータ値、および信号強度または距離に関連付けられた最小パラメータ値に基づいて決定され得る。ある態様では、信号強度は、装置とアクセスポイントの間のＲＳＳＩまたはＥＤレベルであり得る。別の態様では、ＥＤＣＡパラメータは、ＣＷＭＩＮ、ＣＷＭＡＸ、ＡＩＦＳＮ、またはＴＸＯＰを含み得る。
【００８９】
[0086]例えば、図３を参照すると、ＳＴＡ ３０６は、ＲＳＳＩに基づいて、ＣＷＭＩＮおよびＴＸＯＰパラメータを調整し得る。ＳＴＡ ３０６は、ＲＳＳＩに基づいて、正規化されたＲＳＳＩを決定することによって、およびＣＷＭＩＮおよびＴＸＯＰの各々に関連付けられた範囲および正規化されたＲＳＳＩに基づいて、ＣＷＭＩＮおよびＴＸＯＰを調整することによって、ＣＷＭＩＮおよびＴＸＯＰを調整し得る。この例では、［１０，１０００］の範囲が、ＣＷＭＩＮに関連付けられ得、［１ｍｓ，３ｍｓ］の範囲が、ＴＸＯＰに関連付けられ得る。
【００９０】
[0087]別の例では、図３を参照すると、ＳＴＡ ３０６は、ＥＤレベルに基づいて、ＡＩＦＳＮパラメータを調整し得る。ＳＴＡ ３０６は、ＥＤレベルに基づいて、正規化されたＥＤレベルを決定することによって、およびＡＩＦＳＮに関連付けられた範囲および正規化されたＥＤレベルに基づいて、ＡＩＦＳＮを調整することによって、ＡＩＦＳＮを調整し得る。この例では、［５，２０］の範囲が、ＡＩＦＳＮに関連付けられ得る。ＥＤレベルは、ＲＳＳＩ、Ｍ、ＥＤｍａｘ、およびＥＤｍｉｎに基づいて決定され得る。
【００９１】
[0088]別の構成では、ＥＤＣＡパラメータを調整することは、ＥＤＣＡパラメータルックアップテーブルに基づき得る。ＥＤＣＡパラメータルックアップテーブルは、通信パラメータに関連付けられた１つまたは複数のＥＤＣＡパラメータを含み得る。例えば、ＳＴＡ ３０６は、ＥＤレベルおよびＥＤＣＡパラメータルックアップテーブルに基づいて、ＣＷＭＩＮパラメータを調整し得る。ルックアップテーブルは、−５０ｄＢｍのＥＤレベルについて、ＣＷＭＩＮが５００に設定されるべきであることを示し得る。しかしながら、−７０ｄＢｍのＥＤレベルについては、ＣＷＭＩＮは１００に設定されるべきである。別の例では、ルックアップテーブルは、−５０ｄＢｍのＥＤレベルについて、ＣＷＭＩＮが［３００，１０００］の範囲内にあるべきであることを示し得る。そして、−７０ｄＢｍのＥＤレベルについては、ＣＷＭＩＮは［５０，２５０］の範囲内にあるべきである。
【００９２】
[0089]ブロック５３０において、装置は、少なくとも１つの調整されたＥＤＣＡパラメータに基づいて、アクセスポイントと通信し得る。例えば、ＳＴＡ ３０６は、調整されたＣＷＭＩＮパラメータに基づいて、ＡＰ ３０２と通信し得る。
【００９３】
[0090]図６は、ＥＤＣＡパラメータを調整し得る実例的なワイヤレス通信デバイス６００の機能ブロック図である。ワイヤレス通信デバイス６００は、受信機６０５、処理システム６１０、および送信機６１５を含み得る。処理システム６１０は、ＥＤＣＡコンポーネント６２４を含み得る。処理システム６１０および／またはＥＤＣＡコンポーネント６２４は、通信パラメータ（例えば、ＲＳＳＩまたはＥＤレベルのような通信パラメータ６３０）に基づいて、少なくとも１つのＥＤＣＡパラメータを調整するように構成され得る。処理システム６１０、ＥＤＣＡコンポーネント６２４、および／または送信機６１５は、少なくとも１つの調整されたＥＤＣＡパラメータ（例えば、ＥＤＣＡパラメータ６２６）に基づいて、アクセスポイントと通信するように構成され得る。１つの構成では、処理システム６１０および／またはＥＤＣＡコンポーネント６２４は、通信パラメータに基づいて、正規化された通信パラメータを決定することによって、および少なくとも１つのＥＤＣＡパラメータの各々に関連付けられた範囲およびに正規化された通信パラメータに基づいて、少なくとも１つのＥＤＣＡパラメータを調整することによって、少なくとも１つのＥＤＣＡパラメータを調整するように構成され得る。この範囲は、最大値および最小値を含み得る。ある態様では、正規化された通信パラメータは、通信パラメータ、通信パラメータに関連付けられた最大パラメータ値、および通信パラメータに関連付けられた最小パラメータ値に基づいて決定され得る。別の構成では、処理システム６１０および／またはＥＤＣＡコンポーネント６２４は、通信パラメータおよびＥＤＣＡパラメータルックアップテーブルに基づいて、少なくとも１つのＥＤＣＡパラメータを調整するように構成され得る。ＥＤＣＡパラメータルックアップテーブルは、通信パラメータに関連付けられた１つまたは複数のＥＤＣＡパラメータを含み得る。ある態様では、通信パラメータは、ＥＤレベル、ワイヤレス通信デバイス６００とアクセスポイントの間のＲＳＳＩ、またはワイヤレス通信デバイス６００とアクセスポイントの間の距離であり得る。別の態様では、通信パラメータがＥＤレベルであるとき、通信パラメータは、ＲＳＳＩ、バックオフ値、最大ＥＤレベル、および最小ＥＤレベルに基づき得る。別の態様では、少なくとも１つのＥＤＣＡパラメータは、ＣＷＭＩＮ、ＣＷＭＡＸ、ＡＩＦＳＮ、またはＴＸＯＰを含み得る。別の構成では、処理システム６１０、ＥＤＣＡコンポーネント６２４、および／または受信機６０５は、アクセスポイントからメッセージ（例えば、メッセージ６２８）を受信するように構成され得る。このメッセージは、調整が可能な１つまたは複数のＥＤＣＡパラメータおよび１つまたは複数のＥＤＣＡパラメータの各々についての調整範囲を示し得る。別の構成では、処理システム６１０、ＥＤＣＡコンポーネント６２４、および／または受信機６０５は、アクセスポイントからメッセージを受信するように構成され得、このメッセージは、適応型ＥＤＣＡを可能にするためのインジケータを含み得る。別の構成では、処理システム６１０、ＥＤＣＡコンポーネント６２４、および／または送信機６１５は、アクセスポイントにメッセージを送信するように構成され得、このメッセージは、ワイヤレス通信デバイス６００が、適応型ＥＤＣＡが可能であるかどうかを示し得る。別の構成では、処理システム６１０、ＥＤＣＡコンポーネント６２４、および／または受信機６０５は、アクセスポイントからメッセージを受信するように構成され得る。このメッセージは、通信パラメータまたは調整されるべき少なくとも１つのＥＤＣＡパラメータの各々についてのＥＤＣＡ値を含み得る。この構成では、ＥＤＣＡ値は、通信パラメータに基づき得、少なくとも１つのＥＤＣＡパラメータは、このメッセージに基づいて調整され得る。
【００９４】
[0091]受信機６０５、処理システム６１０、ＥＤＣＡコンポーネント６２４、および／または送信機６１５は、図５のブロック５０５、５１０、５１５、５２０，５２５、および５３０に関して上記で説明された１つまたは複数の機能を実行するように構成され得る。受信機６０５は、受信機４１２に対応し得る。処理システム６１０は、プロセッサ４０４に対応し得る。送信機６１５は、送信機４１０に対応し得る。ＥＤＣＡコンポーネント６２４は、ＥＤＣＡコンポーネント１２６および／またはＥＤＣＡコンポーネント４２４に対応し得る。
【００９５】
[0092]１つの構成では、ワイヤレス通信デバイス６００は、アクセスポイントからの信号の信号強度または装置とアクセスポイントの間の距離に基づいて、ＥＤＣＡパラメータを調整するための手段を含み得る。ワイヤレス通信デバイス６００は、調整されたＥＤＣＡパラメータに基づいて、アクセスポイントと通信するための手段を含み得る。ある態様では、ＥＤＣＡパラメータは、ＣＷＭＩＮパラメータ、ＣＷＭＡＸパラメータ、ＡＩＦＳＮパラメータ、またはＴＸＯＰパラメータのうちの１つを含み得る。別の態様では、ＥＤＣＡパラメータは、ＣＷＭＩＮパラメータ、ＣＷＭＡＸパラメータ、またはＡＩＦＳＮパラメータのうちの１つを含み得、ＥＤＣＡパラメータを調整するための手段は、信号強度または距離に比例してＥＤＣＡパラメータを増大させるように構成され得る。別の態様では、ＥＤＣＡパラメータは、ＴＸＯＰパラメータを含み得、ＥＤＣＡパラメータを調整するための手段は、信号強度または距離に比例してＥＤＣＡパラメータを低減させるように構成され得る。別の構成では、ＥＤＣＡパラメータを調整するための手段は、信号強度または距離に基づいて、正規化されたパラメータを決定し、ＥＤＣＡパラメータに関連付けられた範囲および正規化されたパラメータに基づいて、ＥＤＣＡパラメータを調整するように構成され得る。この範囲は、最大値および最小値を含み得る。別の態様では、正規化されたパラメータは、信号強度または距離、信号強度または距離に関連付けられた最大パラメータ値、および信号強度または距離に関連付けられた最小パラメータ値に基づいて決定され得る。別の態様では、正規化されたパラメータは、ＥＤレベル、アクセスポイントと装置の間のＲＳＳＩ、または距離の関数であり得る。別の構成では、ワイヤレス通信デバイス６００は、調整すべきＥＤＣＡパラメータまたはＥＤＣＡパラメータを調整するためのＥＤＣＡパラメータ範囲のうちの少なくとも１つを示す、アクセスポイントからの情報を受信するための手段を含み得る。別の構成では、ワイヤレス通信デバイス６００は、ＥＤＣＡパラメータの調整を可能にするインジケータを受信するための手段を含み得、ＥＤＣＡパラメータは、インジケータを受信した後に調整され得る。別の構成では、ワイヤレス通信デバイス６００は、アクセスポイントがＥＤＣＡパラメータ調整をサポートするというインジケーションを受信するための手段を含み得、ＥＤＣＡパラメータは、インジケーションを受信した後に調整され得る。別の構成では、ＥＤＣＡパラメータは、信号強度または距離に基づいておよびＥＤＣＡパラメータルックアップテーブルに基づいて調整される。この構成では、ＥＤＣＡパラメータルックアップテーブルは、信号強度または距離に関連付けられた１つまたは複数のＥＤＣＡパラメータを含み得る。別の構成では、ワイヤレス通信デバイス６００は、アクセスポイントから、ＥＤＣＡパラメータを調整するために装置によって使用される情報を受信するための手段を含み得る。
【００９６】
[0093]例えば、少なくとも１つのＥＤＣＡパラメータを調整するための手段は、処理システム６１０および／またはＥＤＣＡコンポーネント６２４を含み得る。アクセスポイントと通信するための手段は、処理システム６１０、ＥＤＣＡコンポーネント６２４、受信機６０５、および／または送信機６１５を含み得る。メッセージを受信するための手段は、処理システム６１０、ＥＤＣＡコンポーネント６２４、および／または受信機６０５を含み得る。
【００９７】
[0094]図７は、図１のワイヤレス通信システム１００内で用いられ得る適応型ＥＤＣＡを使用するワイヤレスデバイス７０２の実例的な機能ブロック図を示す。ワイヤレスデバイス７０２は、ここで説明される様々な方法をインプリメントするように構成され得るデバイスの例である。例えば、ワイヤレスデバイス７０２は、ＡＰ １０４またはＡＰ ３０２を備え得る。
【００９８】
[0095]ワイヤレスデバイス７０２は、ワイヤレスデバイス７０２の動作を制御するプロセッサ７０４を含み得る。プロセッサ７０４はまた、ＣＰＵと呼ばれ得る。ＲＯＭとＲＡＭの両方を含み得るメモリ７０６は、プロセッサ７０４に命令およびデータを提供し得る。メモリ７０６の一部はまた、ＮＶＲＡＭを含み得る。プロセッサ７０４は、典型的に、メモリ７０６内に記憶されたプログラム命令に基づいて、論理演算および算術演算を実行する。メモリ７０６における命令は、ここで説明される方法をインプリメントするために（例えば、プロセッサ７０４によって）実行可能であり得る。
【００９９】
[0096]プロセッサ７０４は、１つまたは複数のプロセッサでインプリメントされる処理システムのコンポーネントであり得、またはそれを備え得る。１つまたは複数のプロセッサは、汎用マイクロプロセッサ、マイクロコントローラ、ＤＳＰ、ＦＰＧＡ、ＰＬＤ、コントローラ、ステートマシン、ゲート論理、個別ハードウェアコンポーネント、専用ハードウェア有限ステートマシン、または情報の計算または他の操作を実行することができるその他任意の適切なエンティティの任意の組み合わせでインプリメントされ得る。
【０１００】
[0097]処理システムはまた、ソフトウェアを記憶するための機械可読媒体を含み得る。ソフトウェアは、ソフトウェア、ファームウェア、ミドルウェア、マイクロコード、ハードウェア記述言語、またはその他の方法で呼ばれるかにかかわらず、任意のタイプの命令を意味するように広く解釈されるべきである。命令は、（例えば、ソースコードフォーマット、バイナリコードフォーマット、実行可能コードフォーマット、またはその他任意の適切なコードのフォーマットの）コードを含み得る。これら命令は、１つまたは複数のプロセッサによって実行されると、処理システムに、ここで説明される様々な機能を実行させる。
【０１０１】
[0098]ワイヤレスデバイス７０２はまた、ハウジング７０８を含み得、ワイヤレスデバイス７０２は、ワイヤレスデバイス７０２と遠隔デバイスの間のデータの送信および受信を可能にするために送信機７１０および／または受信機７１２を含み得る。送信機７１０および受信機７１２は、トランシーバ７１４に組み合わされ得る。アンテナ７１６が、ハウジング７０８に取り付けられ、トランシーバ７１４に電気的に結合され得る。ワイヤレスデバイス７０２はまた、複数の送信機、複数の受信機、複数のトランシーバ、および／または複数のアンテナを含み得る。
【０１０２】
[0099]ワイヤレスデバイス７０２はまた、トランシーバ７１４または受信機７１２によって受信される信号のレベルを検出および定量化するために使用され得る信号検出器７１８を含み得る。信号検出器７１８は、このような信号を、総エネルギー、シンボルごとのサブキャリア当たりのエネルギー、電力スペクトル密度、および他の信号として検出し得る。ワイヤレスデバイス７０２はまた、信号を処理する際に使用するためのＤＳＰ ７２０を含み得る。ＤＳＰ ７２０は、送信用のパケットを生成するように構成され得る。いくつかの態様では、パケットは、ＰＰＤＵを備え得る。
【０１０３】
[00100]ワイヤレスデバイス７０２は、いくつかの態様では、ユーザインタフェース７２２をさらに備え得る。ユーザインタフェース７２２は、キーパッド、マイクロフォン、スピーカ、および／またはディスプレイを備え得る。ユーザインタフェース７２２は、ワイヤレスデバイス７０２のユーザに情報を伝えるおよび／またはユーザからの入力を受信する任意の要素またはコンポーネントを含み得る。
【０１０４】
[00101]ワイヤレスデバイス７０２がＡＰ（例えば、ＡＰ １０４、ＡＰ ３０２）としてインプリメントされるとき、ワイヤレスデバイス７０２はまた、ＥＤＣＡコンポーネント７２４を備え得る。ＥＤＣＡコンポーネント７２４は、ワイヤレスデバイス７０２が適応型ＥＤＣＡをサポートするかどうかを決定するように構成され得る。ＥＤＣＡコンポーネント７２４は、この決定に基づいて、局にメッセージを送信するように構成され得る。ある態様では、このメッセージは、調整が可能な１つまたは複数のＥＤＣＡパラメータ（例えば、調整用の１つまたは複数のＥＤＣＡパラメータ７３０）およびＥＤＣＡパラメータごとの調整範囲（例えば、ＥＤＣＡパラメータについての調整範囲７３２）を示し得る。別の態様では、このメッセージは、適応型ＥＤＣＡを可能にするためのインジケータを含み得る。別の構成では、ＥＤＣＡコンポーネント７２４は、少なくとも１つのＥＤＣＡパラメータを調整するために使用される通信パラメータを決定するように構成され得る。この構成では、ＥＤＣＡコンポーネント７２４は、決定された通信パラメータに基づいて、少なくとも１つのＥＤＣＡパラメータを調整するためのＥＤＣＡパラメータ値（例えば、ＥＤＣＡパラメータ値７２８）を決定するように構成され得る。ある態様では、このメッセージは、少なくとも１つのＥＤＣＡパラメータを調整するための決定された通信パラメータ、または少なくとも１つのＥＤＣＡパラメータを調整するための決定されたＥＤＣＡパラメータ値のうちの少なくとも１つを含み得る。別の態様では、このメッセージは、ＥＤＣＡパラメータルックアップテーブルを含み得る。ＥＤＣＡパラメータルックアップテーブルは、通信パラメータに関連付けられた１つまたは複数のＥＤＣＡパラメータを含み得る。別の態様では、通信パラメータは、ＥＤレベル、局とワイヤレスデバイス７０２の間のＲＳＳＩ、または局とワイヤレスデバイス７０２の間の距離であり得る。
【０１０５】
[00102]ワイヤレスデバイス７０２の様々なコンポーネントは、バスシステム７２６によって共に結合され得る。バスシステム７２６は、データバスのみならず、例えば、データバスに加えて、電力バス、制御信号バス、およびステータス信号バスを含み得る。ワイヤレスデバイス７０２のコンポーネントは、共に結合され得、または何らかの他のメカニズムを使用して互いへの入力を受け取るまたは提供し得る。
【０１０６】
[00103]いくつかの別個のコンポーネントが図７に例示されているが、これらコンポーネントのうちの１つまたは複数が、組み合わされるまたは共通してインプリメントされ得る。例えば、プロセッサ７０４は、プロセッサ７０４に関して上記で説明された機能をインプリメントするためのみならず、信号検出器７１８、ＤＳＰ ７２０、ユーザインタフェース７２２、および／またはＥＤＣＡコンポーネント７２４に関して上記で説明された機能をインプリメントするためにも使用され得る。さらに、図７に例示されるコンポーネントの各々は、複数の別個の要素を使用してインプリメントされ得る。
【０１０７】
[00104]図８は、適応型ＥＤＣＡのためのワイヤレス通信の実例的な方法８００のフローチャートである。方法８００は、装置（例えば、ＡＰ １０４、ＡＰ ３０２、または、例えば、ワイヤレスデバイス７０２）を使用して実行され得る。方法８００は、図７のワイヤレスデバイス７０２の要素に関して以下で説明されるが、他のコンポーネントが、ここで説明されるステップのうちの１つまたは複数をインプリメントするために使用され得る。
【０１０８】
[00105]ブロック８０５において、装置は、装置がＥＤＣＡパラメータ調整をサポートするかどうかを決定し得る。例えば、図３を参照すると、ＡＰ ３０２は、ＡＰ ３０２が適応型ＥＤＣＡをサポートするかどうかを決定し得る。ある態様では、ＡＰ ３０２は、適応型ＥＤＣＡをサポートするように予め設定され得る。ＡＰ ３０２は、記憶された設定情報に基づいて、ＡＰ ３０２が適応型ＥＤＣＡをサポートするかどうかを決定し得る。例えば、ビットインジケータが、ＡＰ ３０２が適応型ＥＤＣＡをサポートするかどうかを示し得る（例えば、０＝適応型ＥＤＣＡをサポートしない、１＝適応型ＥＤＣＡをサポートする）。
【０１０９】
[00106]ブロック８１０において、装置は、この決定に基づいて、局にメッセージを送信し得る。このメッセージは、アクセスポイントがＥＤＣＡパラメータ調整をサポートするかどうかを示し得る。例えば、ＡＰ ３０２は、ＳＴＡ ３０６に第１のメッセージ３１２および／または第２のメッセージ３１４を送信し得、ＡＰ ３０２が適応型ＥＤＣＡをサポートすることをＳＴＡ ３０６に示す。
【０１１０】
[00107]ブロック８１５において、装置は、装置と局の間で通信される信号の信号強度またはアクセスポイントと局の間の距離を決定し得る。例えば、ＡＰ ３０２は、ＣＷＭＩＮおよびＴＸＯＰを調整するために使用されるＥＤレベルを決定し得る。別の例では、ＡＰ ３０２は、ＣＷＭＡＸおよびＡＩＦＳＮを調整するために使用されるＲＳＳＩを決定し得る。ある態様では、ＲＳＳＩは、ＳＴＡ ３０６によって送られる報告に基づいて決定され得る。別の態様では、ＡＰ ３０２は、ＳＴＡ ３０６によって送信されるアップリンクパケットに基づいて、ＲＳＳＩを決定し得る。ＲＳＳＩを決定すると、ＡＰ ３０２は、上述された式２を使用してＥＤレベルを決定し得る。なお別の例では、ＡＰ ３０２は、ＴＸＯＰを調整するために使用される、ＡＰ ３０２とＳＴＡ ３０６の間の距離を決定し得る。
【０１１１】
[00108]ブロック８２０において、装置は、決定された信号強度または決定された距離を局に送信し得る。例えば、図３を参照すると、ＡＰ ３０２は、ＳＴＡ ３０６にＥＤレベル、ＲＳＳＩ、または距離を送信し得る。
【０１１２】
[00109]ブロック８２５において、装置は、決定された信号強度または決定された距離に基づいて、少なくとも１つのＥＤＣＡパラメータを調整するためのＥＤＣＡパラメータ値を決定し得る。ブロック８３０において、装置は、ＥＤＣＡパラメータを調整するための決定されたＥＤＣＡパラメータ値を送信し得る。例えば、ＡＰ ３０２は、（例えば、式３−式６に基づいて）ＣＷＭＩＮおよびＣＷＭＡＸパラメータを調整するためのＣＷＭＩＮおよびＣＷＭＡ値を決定し得る。ＡＰ ３０２は、ＳＴＡ ３０６に第２のメッセージ３１４中でＣＷＭＩＮおよびＣＷＭＡＸ値を送信し得る。別の態様では、ＡＰ ３０２は、ＳＴＡ ３０６に第２のメッセージ３１４中で、ブロック８１５において決定されるＥＤレベル、ＲＳＳＩ、または距離を送信し得る。この態様では、例えば、ＥＤレベルの第２のメッセージ３１４を受信すると、ＳＴＡ ３０６は、第２のメッセージ３１４に基づいて、少なくとも１つのＥＤＣＡパラメータを調整し得る。ＳＴＡ ３０６は、ＥＤレベルおよび前述の式に基づいて、少なくとも１つのＥＤＣＡパラメータを調整し得る。ＳＴＡ ３０６は、ＥＤレベルおよびＥＤＣＡパラメータルックアップテーブルに基づいて、少なくとも１つのＥＤＣＡパラメータを調整し得る。
【０１１３】
[00110]ブロック８３０において、装置は、装置と局の間で通信される信号の信号強度または装置と局の間の距離に基づいて調整されたＥＤＣＡパラメータに基づいて、局と通信し得る。例えば、図３を参照すると、ＡＰ ３０２は、ＡＰ ３０２とＳＴＡ ３０６の間の距離に基づいて調整されたＣＷＭＩＮパラメータに基づいて、ＳＴＡ ３０６と通信し得る。
【０１１４】
[00111]図９は、実例的なワイヤレス通信デバイス９００の機能ブロック図である。ワイヤレス通信デバイス９００は、受信機９０５、処理システム９１０、および送信機９１５を含み得る。処理システム９１０は、ＥＤＣＡコンポーネント９２４および／または処理コンポーネント９２６を含み得る。処理システム９１０、処理コンポーネント９２６、および／またはＥＤＣＡコンポーネント９２４は、装置が適応型ＥＤＣＡをサポートするかどうかを決定するように構成され得る。処理システム９１０、ＥＤＣＡコンポーネント９２４、および／または送信機９１５は、この決定に基づいて、局にメッセージ（例えば、メッセージ９３２）を送信するように構成され得る。ある態様では、このメッセージは、調整が可能な１つまたは複数のＥＤＣＡパラメータ（例えば、ＥＤＣＡパラメータ９３４）およびＥＤＣＡパラメータごとの調整範囲（例えば、ＥＤＣＡパラメータ範囲９３６）を示し得る。別の態様では、このメッセージは、適応型ＥＤＣＡを可能にするためのインジケータを含み得る。処理システム９１０および／またはＥＤＣＡコンポーネント９２４は、少なくとも１つのＥＤＣＡパラメータを調整するために使用される通信パラメータを決定するように構成され得る。処理システム９１０および／またはＥＤＣＡコンポーネント９２４は、決定された通信パラメータに基づいて、少なくとも１つのＥＤＣＡパラメータを調整するためのＥＤＣＡパラメータ値を決定するように構成され得る。このメッセージは、少なくとも１つのＥＤＣＡパラメータを調整するための決定された通信パラメータ、または少なくとも１つのＥＤＣＡパラメータを調整するための決定されたＥＤＣＡパラメータ値のうちの少なくとも１つを含み得る。態様では、このメッセージは、ＥＤＣＡパラメータルックアップテーブルを含み得る。この態様では、ＥＤＣＡパラメータルックアップテーブルは、通信パラメータに関連付けられた１つまたは複数のＥＤＣＡパラメータを含み得る。別の態様では、通信パラメータ（例えば、通信パラメータ９３０）は、ＥＤレベル、（例えば、アップリンク送信９２８に基づいて決定される）装置とアクセスポイントの間のＲＳＳＩ、または局と装置の間の距離であり得る。
【０１１５】
[00112]受信機９０５、処理システム９１０、ＥＤＣＡコンポーネント９２４、および／または送信機９１５は、図８のブロック８０５、８１０、８１５、および８２０に関して上記で説明された１つまたは複数の機能を実行するように構成され得る。受信機９０５は、受信機７１２に対応し得る。処理システム９１０は、プロセッサ７０４に対応し得る。送信機９１５は、送信機７１０に対応し得る。ＥＤＣＡコンポーネント９２４は、ＥＤＣＡコンポーネント１２４および／またはＥＤＣＡコンポーネント７２４に対応し得る。
【０１１６】
[00113]１つの構成では、ワイヤレス通信デバイス９００は、ワイヤレス通信デバイス９００がＥＤＣＡパラメータ調整をサポートするかどうかを決定するための手段と、この決定に基づいて、局にメッセージを送信するための手段とを含み得る。このメッセージは、ワイヤレス通信デバイス９００がＥＤＣＡパラメータ調整をサポートするかどうかを示し得る。別の構成では、ワイヤレス通信デバイス９００は、ワイヤレス通信デバイス９００と局の間で通信される信号の信号強度またはワイヤレス通信デバイス９００と局の間の距離に基づいて調整されたＥＤＣＡパラメータに基づいて、局と通信するための手段を含み得る。別の態様では、ＥＤＣＡパラメータは、ＣＷＭＩＮパラメータ、ＣＷＭＡＸパラメータ、ＡＩＦＳＮパラメータ、またはＴＸＯＰパラメータのうちの１つを含み得る。別の構成では、ワイヤレス通信デバイス９００は、装置と局の間で通信される信号の信号強度または装置と局の間の距離を決定するための手段を含み得る。別の構成では、ワイヤレス通信デバイス９００は、決定された信号強度または決定された距離を局に送信するための手段を含み得る。別の構成では、ワイヤレス通信デバイス９００は、決定された信号強度または決定された距離に基づいて、ＥＤＣＡパラメータを調整するためのＥＤＣＡパラメータ値を決定するための手段と、ＥＤＣＡパラメータを調整するための決定されたＥＤＣＡパラメータ値を送信するための手段とを含み得る。別の構成では、ワイヤレス通信デバイス９００は、ＥＤＣＡパラメータルックアップテーブルを送信するための手段を含み得る。ＥＤＣＡパラメータルックアップテーブルは、ワイヤレス通信デバイス９００と局の間で通信される信号の信号強度またはワイヤレス通信デバイス９００と局の間の距離に関連付けられた１つまたは複数のＥＤＣＡパラメータを含み得る。
【０１１７】
[00114]例えば、ワイヤレス通信デバイス９００がＥＤＣＡパラメータ調整をサポートするかどうかを決定するための手段は、処理システム９１０、処理コンポーネント９２６、および／またはＥＤＣＡコンポーネント９２４を含み得る。メッセージを送信するための手段は、処理システム９１０、ＥＤＣＡコンポーネント９２４、および／または送信機９１５を含み得る。信号強度または距離を決定するための手段は、処理システム９１０および／またはＥＤＣＡコンポーネント９２４を含み得る。ＥＤＣＡパラメータ値を決定するための手段は、処理システム９１０および／またはＥＤＣＡコンポーネント９２４を含み得る。
【０１１８】
[00115]上記で説明された方法の様々な動作は、様々なハードウェアおよび／またはソフトウェアの（１つまたは複数の）コンポーネント、回路、および／または（１つまたは複数の）モジュールなどの、これら動作を実行することが可能な任意の適切な手段によって実行され得る。一般に、図面において例示された任意の動作は、これら動作を実行することが可能な対応する機能的な手段によって実行され得る。
【０１１９】
[00116]本開示に関して説明された様々な例示的な論理ブロック、コンポーネント、および回路は、汎用プロセッサ、ＤＳＰ、特定用途向け集積回路（ＡＳＩＣ）、ＦＰＧＡまたは他のＰＬＤ、個別ゲートまたはトランジスタロジック、個別ハードウェアコンポーネント、あるいはここで説明された機能を実行するように設計されたこれらの任意の組合せを用いてインプリメントまたは実行され得る。汎用プロセッサは、マイクロプロセッサであり得るが、代替として、このプロセッサは、任意の商業的に利用可能なプロセッサ、コントローラ、マイクロコントローラ、またはステートマシンであり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成としてインプリメントされ得る。
【０１２０】
[00117]１つまたは複数の態様では、説明された機能は、ハードウェア、ソフトウェア、ファームウェア、またはこれらの任意の組合せでインプリメントされ得る。ソフトウェアでインプリメントされる場合、これら機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む通信媒体とコンピュータ記憶媒体の両方を含む。記憶媒体は、コンピュータによってアクセスされることができる任意の利用可能な媒体であり得る。限定ではなく例として、このようなコンピュータ可読媒体は、ＲＡＭ、ＲＯＭ、ＥＥＰＲＯＭ（登録商標）、コンパクトディスク（ＣＤ）ＲＯＭ（ＣＤ−ＲＯＭ）または他の光ディスク記憶装置、磁気ディスク記憶装置またはその他の磁気記憶デバイス、あるいはデータ構造または命令の形式で所望のプログラムコードを記憶または搬送するために使用されることができ、かつコンピュータによってアクセスされることができるその他任意の媒体を備えることができる。また、任意の接続は、コンピュータ可読媒体と厳密には称される。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、またはその他の遠隔ソースから送信される場合には、この同軸ケーブル、光ファイバーケーブル、ツイストペア、ＤＳＬ、または赤外線、無線、およびマイクロ波などのワイヤレス技術は、媒体の定義に含まれる。ここで使用される場合、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイディスクを含み、ここでディスク（disks）は、通常磁気的にデータを再生し、一方ディスク（discs）は、レーザーを用いて光学的にデータを再生する。したがって、コンピュータ可読媒体は、非一時的なコンピュータ可読媒体（例えば、有形媒体）を備える。
【０１２１】
[00118]ここに開示された方法は、説明された方法を達成するための１つまたは複数のステップまたはアクションを備える。方法のステップおよび／またはアクションは、特許請求の範囲から逸脱することなく互いに置き換えられ得る。言い換えれば、ステップまたはアクションの特定の順序が明記されない限り、特定のステップおよび／またはアクションの順序および／または使用は、特許請求の範囲から逸脱することなく修正され得る。
【０１２２】
[00119]したがって、ある特定の態様は、ここで提示された動作を実行するためのコンピュータプログラム製品を備え得る。例えば、このようなコンピュータプログラム製品は、その上に命令が記憶された（および／または符号化された）コンピュータ可読媒体を備え得、これら命令は、ここで説明された動作を実行するために１つまたは複数のプロセッサによって実行可能である。ある特定の態様では、コンピュータプログラム製品は、パッケージング材料を含み得る
[00120]さらに、ここで説明された方法および技法を実行するためのコンポーネントおよび／または他の適切な手段は、適宜、ユーザ端末および／または基地局によって、ダウンロードされ得ること、および／または、別の方法で取得され得ることが理解されるべきである。例えば、このようなデバイスは、ここで説明された方法を実行するための手段の転送を容易にするためにサーバに結合されることができる。あるいは、ここで説明された様々な方法は、ユーザ端末および／または基地局が、デバイスに記憶手段を結合または提供する際に様々な方法を取得することができるように、記憶手段（例えば、ＲＡＭ、ＲＯＭ、ＣＤまたはフロッピーディスクのような物理記憶媒体など）を介して提供されることができる。さらに、ここで説明された方法および技法をデバイスに提供するためのその他任意の適切な技法が、利用されることができる。
【０１２３】
[00121]特許請求の範囲は、上記に例示されたとおりの構成およびコンポーネントに限定されないことが理解されるべきである。様々な修正、変更、および変形が、特許請求の範囲から逸脱することなく、上記で説明された方法および装置の配置、動作および詳細において行われ得る。
【０１２４】
[00122]前述は、本開示の態様に向けられている一方で、本開示のその他および更なる態様が、その基本的な範囲から逸脱することなく考案され得、その範囲は、以下に示す特許請求の範囲によって決定される。
【０１２５】
[00123]先の説明は、いかなる当業者であっても、ここで説明された様々な態様を実現することを可能にするように提供される。これらの態様への様々な修正は、当業者には容易に明らかとなり、ここに定義された一般原理は、他の態様に適用され得る。したがって、特許請求の範囲は、ここに示された態様に限定されるようには意図されず、特許請求の範囲の文言と一致する全範囲が与えられるべきものであり、ここで、単数形の要素への参照は、別途明記されていない限り、「１つ、および１つのみ」を意味するようには意図されず、「１つまたは複数」を意味するように意図される。別段に明記されていない限り、「いくつかの」という用語は、１つまたは複数を指す。当業者に知られているか、または後に知られることとなる、本開示全体を通じて説明された様々な態様の要素に対する全ての構造的および機能的な同等物は、参照によってここに明確に組み込まれ、特許請求の範囲によって包含されるように意図される。さらに、ここで開示されたものはいずれも、このような開示が特許請求の範囲において明記されているかどうかにかかわらず、公衆に放棄されるようには意図されていない。いずれの請求項の要素も、その要素が「〜のための手段（means for）」という表現を使用して明確に記載されていない限り、または、方法の請求項の場合には、その要素が「〜のためのステップ（step for）」という表現を使用して記載されていない限り、米国特許法第１１２条（ｆ）の規定のもとで解釈されるべきではない。
【図１】
2018500837.tif 000014
【図２】
2018500837.tif 000015
【図３】
2018500837.tif 000016
【図４】
2018500837.tif 000017
【図５】
2018500837.tif 000018
【図６】
2018500837.tif 000019
【図７】
2018500837.tif 000020
【図８】
2018500837.tif 000021
【図９】
2018500837.tif 000022
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
局によるワイヤレス通信の方法であって、
アクセスポイントからの信号の信号強度または前記局と前記アクセスポイントの間の距離に基づいて、拡張分散チャネルアクセス（ＥＤＣＡ）パラメータを調整することと、
前記調整されたＥＤＣＡパラメータに基づいて、前記アクセスポイントと通信することと、
を備える方法。
【請求項２】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項１に記載の方法。
【請求項３】
前記ＥＤＣＡパラメータは、前記ＣＷＭＩＮパラメータ、前記ＣＷＭＡＸパラメータ、または前記ＡＩＦＳＮパラメータのうちの１つを備え、前記ＥＤＣＡパラメータを前記調整することは、前記信号強度に比例して前記ＥＤＣＡパラメータを増大させることを備える、請求項２に記載の方法。
【請求項４】
前記ＥＤＣＡパラメータは、前記ＴＸＯＰパラメータを備え、前記ＥＤＣＡパラメータを前記調整することは、前記距離に比例して前記ＥＤＣＡパラメータを低減させることを備える、請求項２に記載の方法。
【請求項５】
前記ＥＤＣＡパラメータを前記調整することは、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
を備える、請求項１に記載の方法。
【請求項６】
前記正規化されたパラメータは、前記信号強度または前記距離、前記信号強度または前記距離に関連付けられた最大パラメータ値、および前記信号強度または前記距離に関連付けられた最小パラメータ値に基づいて決定される、請求項５に記載の方法。
【請求項７】
前記正規化されたパラメータは、エネルギー検出（ＥＤ）レベル、前記アクセスポイントと前記局の間の受信信号強度インジケーション（ＲＳＳＩ）、または前記距離の関数である、請求項５に記載の方法。
【請求項８】
調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信することをさらに備える、請求項１に記載の方法。
【請求項９】
前記ＥＤＣＡパラメータの調整を可能にするインジケータを受信することをさらに備え、ここにおいて、前記ＥＤＣＡパラメータは、前記インジケータを受信した後に調整される、請求項１に記載の方法。
【請求項１０】
前記アクセスポイントがＥＤＣＡパラメータ調整をサポートするというインジケーションを受信することをさらに備え、ここにおいて、前記ＥＤＣＡパラメータは、前記インジケーションを受信した後に調整される、請求項１に記載の方法。
【請求項１１】
前記ＥＤＣＡパラメータを前記調整することは、前記信号強度または前記距離に基づき、およびＥＤＣＡパラメータルックアップテーブルに基づく、ここにおいて、前記ＥＤＣＡパラメータルックアップテーブルは、前記信号強度または前記距離に関連付けられた１つまたは複数のＥＤＣＡパラメータを含む、請求項１に記載の方法。
【請求項１２】
前記アクセスポイントから、前記ＥＤＣＡパラメータを調整するために前記局によって使用される情報を受信することをさらに備える、請求項１に記載の方法。
【請求項１３】
ワイヤレス通信のための局であって、
アクセスポイントからの信号の信号強度または前記局と前記アクセスポイントの間の距離に基づいて、拡張分散チャネルアクセス（ＥＤＣＡ）パラメータを調整するための手段と、
前記調整されたＥＤＣＡパラメータに基づいて、前記アクセスポイントと通信するための手段と、
を備える局。
【請求項１４】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項１３に記載の局。
【請求項１５】
前記ＥＤＣＡパラメータは、前記ＣＷＭＩＮパラメータ、前記ＣＷＭＡＸパラメータ、または前記ＡＩＦＳＮパラメータのうちの１つを備え、前記ＥＤＣＡパラメータを調整するための前記手段は、前記信号強度または前記距離に比例して前記ＥＤＣＡパラメータを増大させるように構成される、請求項１４に記載の局。
【請求項１６】
前記ＥＤＣＡパラメータは、前記ＴＸＯＰパラメータを備え、前記ＥＤＣＡパラメータを調整するための前記手段は、前記信号強度または前記距離に比例して前記ＥＤＣＡパラメータを低減させるように構成される、請求項１４に記載の局。
【請求項１７】
前記ＥＤＣＡパラメータを調整するための前記手段は、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
を行うように構成される、請求項１３に記載の局。
【請求項１８】
前記正規化されたパラメータは、前記信号強度または前記距離、前記信号強度または前記距離に関連付けられた最大パラメータ値、および前記信号強度または前記距離に関連付けられた最小パラメータ値に基づいて決定される、請求項１７に記載の局。
【請求項１９】
前記正規化されたパラメータは、エネルギー検出（ＥＤ）レベル、前記アクセスポイントと前記局の間の受信信号強度インジケーション（ＲＳＳＩ）、または前記距離の関数である、請求項１７に記載の局。
【請求項２０】
調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信するための手段をさらに備える、請求項１３に記載の局。
【請求項２１】
前記ＥＤＣＡパラメータの調整を可能にするインジケータを受信するための手段をさらに備え、ここにおいて、前記ＥＤＣＡパラメータは、前記インジケータを受信した後に調整される、請求項１３に記載の局。
【請求項２２】
前記アクセスポイントがＥＤＣＡパラメータ調整をサポートするというインジケーションを受信するための手段さらに備え、ここにおいて、前記ＥＤＣＡパラメータは、前記インジケーションを受信した後に調整される、請求項１３に記載の局。
【請求項２３】
前記ＥＤＣＡパラメータを調整するための前記手段は、前記信号強度または前記距離に基づき、およびＥＤＣＡパラメータルックアップテーブルに基づく、ここにおいて、前記ＥＤＣＡパラメータルックアップテーブルは、前記信号強度または前記距離に関連付けられた１つまたは複数のＥＤＣＡパラメータを含む、請求項１３に記載の局。
【請求項２４】
前記アクセスポイントから、前記ＥＤＣＡパラメータを調整するために前記局によって使用される情報を受信するための手段をさらに備える、請求項１３に記載の局。
【請求項２５】
ワイヤレス通信のための局であって、
メモリと、
前記メモリに結合され、かつ、
アクセスポイントからの信号の信号強度または前記局と前記アクセスポイントの間の距離に基づいて、拡張分散チャネルアクセス（ＥＤＣＡ）パラメータを調整することと、
前記調整されたＥＤＣＡパラメータに基づいて、前記アクセスポイントと通信することと、
を行うように構成された少なくとも１つのプロセッサと、
を備える局。
【請求項２６】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項２５に記載の局。
【請求項２７】
前記ＥＤＣＡパラメータは、前記ＣＷＭＩＮパラメータ、前記ＣＷＭＡＸパラメータ、または前記ＡＩＦＳＮパラメータのうちの１つを備え、前記少なくとも１つのプロセッサは、前記信号強度または前記距離に比例して前記ＥＤＣＡパラメータを増大させることによって、前記ＥＤＣＡパラメータを調整するように構成される、請求項２６に記載の局。
【請求項２８】
前記ＥＤＣＡパラメータは、前記ＴＸＯＰパラメータを備え、前記少なくとも１つのプロセッサは、前記信号強度または前記距離に比例して前記ＥＤＣＡパラメータを低減させることによって、前記ＥＤＣＡパラメータを調整するように構成される、請求項２６に記載の局。
【請求項２９】
前記少なくとも１つのプロセッサは、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
によって前記ＥＤＣＡパラメータを調整するように構成される、請求項２５に記載の局。
【請求項３０】
前記正規化されたパラメータは、前記信号強度または前記距離、前記信号強度または前記距離に関連付けられた最大パラメータ値、および前記信号強度または前記距離に関連付けられた最小パラメータ値に基づいて決定される、請求項２９に記載の局。
【請求項３１】
前記正規化されたパラメータは、エネルギー検出（ＥＤ）レベル、前記アクセスポイントと前記局の間の受信信号強度インジケーション（ＲＳＳＩ）、または前記距離の関数である、請求項２９に記載の局。
【請求項３２】
前記少なくとも１つのプロセッサは、調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信するようにさらに構成される、請求項２５に記載の局。
【請求項３３】
前記少なくとも１つのプロセッサは、前記ＥＤＣＡパラメータの調整を可能にするインジケータを受信するようにさらに構成され、ここにおいて、前記ＥＤＣＡパラメータは、前記インジケータを受信した後に調整される、請求項２５に記載の局。
【請求項３４】
前記少なくとも１つのプロセッサは、前記アクセスポイントがＥＤＣＡパラメータ調整をサポートするというインジケーションを受信するようにさらに構成され、ここにおいて、前記ＥＤＣＡパラメータは、前記インジケーションを受信した後に調整される、請求項２５に記載の局。
【請求項３５】
前記少なくとも１つのプロセッサは、前記信号強度または前記距離に基づいておよびＥＤＣＡパラメータルックアップテーブルに基づいて、前記ＥＤＣＡパラメータを調整するように構成され、ここにおいて、前記ＥＤＣＡパラメータルックアップテーブルは、前記信号強度または前記距離に関連付けられた１つまたは複数のＥＤＣＡパラメータを含む、請求項２５に記載の局。
【請求項３６】
前記少なくとも１つのプロセッサは、前記アクセスポイントから、前記ＥＤＣＡパラメータを調整するために前記局によって使用される情報を受信するようにさらに構成される、請求項２５に記載の局。
【請求項３７】
コンピュータにより実行可能なコードを記憶した、局のコンピュータ可読媒体であって、
アクセスポイントからの信号の信号強度または前記局と前記アクセスポイントの間の距離に基づいて、拡張分散チャネルアクセス（ＥＤＣＡ）パラメータを調整し、
前記調整されたＥＤＣＡパラメータに基づいて、前記アクセスポイントと通信する
ためのコードを備える、コンピュータ可読媒体。
【請求項３８】
アクセスポイントによるワイヤレス通信の方法であって、
前記アクセスポイントが拡張分散チャネルアクセス（ＥＤＣＡ）パラメータ調整をサポートするかどうかを決定することと、
前記決定に基づいて、局にメッセージを送信することと、前記メッセージは、前記アクセスポイントがＥＤＣＡパラメータ調整をサポートするかどうかを示す、
前記アクセスポイントと前記局の間で通信される信号の信号強度または前記アクセスポイントと前記局の間の距離に基づいて調整されたＥＤＣＡパラメータに基づいて、前記局と通信することと、
を備える方法。
【請求項３９】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項３８に記載の方法。
【請求項４０】
前記アクセスポイントと前記局の間で通信される前記信号の前記信号強度または前記アクセスポイントと前記局の間の前記距離を決定することをさらに備える、請求項３８に記載の方法。
【請求項４１】
前記決定された信号強度または前記決定された距離を前記局に送信することをさらに備える、請求項４０に記載の方法。
【請求項４２】
前記決定された信号強度または前記決定された距離に基づいて、前記ＥＤＣＡパラメータを調整するためのＥＤＣＡパラメータ値を決定することと、
前記ＥＤＣＡパラメータを調整するための前記決定されたＥＤＣＡパラメータ値を送信することと、
をさらに備える、請求項４０に記載の方法。
【請求項４３】
ＥＤＣＡパラメータルックアップテーブルを送信することをさらに備え、前記ＥＤＣＡパラメータルックアップテーブルは、前記アクセスポイントと前記局の間で通信される前記信号の前記信号強度または前記アクセスポイントと前記局の間の前記距離に関連付けられた１つまたは複数のＥＤＣＡパラメータを含む、請求項３８に記載の方法。
【請求項４４】
ワイヤレス通信のためのアクセスポイントであって、
前記アクセスポイントが拡張分散チャネルアクセス（ＥＤＣＡ）パラメータ調整をサポートするかどうかを決定するための手段と、
前記決定に基づいて、局にメッセージを送信するための手段と、前記メッセージは、前記アクセスポイントがＥＤＣＡパラメータ調整をサポートするかどうかを示す、
前記アクセスポイントと前記局の間で通信される信号の信号強度または前記アクセスポイントと前記局の間の距離に基づいて調整されたＥＤＣＡパラメータに基づいて、前記局と通信するための手段と、
を備えるアクセスポイント。
【請求項４５】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項４４に記載のアクセスポイント。
【請求項４６】
前記アクセスポイントと前記局の間で通信される前記信号の前記信号強度または前記アクセスポイントと前記局の間の前記距離を決定するための手段をさらに備える、請求項４４に記載のアクセスポイント。
【請求項４７】
前記決定された信号強度または前記決定された距離を前記局に送信するための手段をさらに備える、請求項４６に記載のアクセスポイント。
【請求項４８】
前記決定された信号強度または前記決定された距離に基づいて、前記ＥＤＣＡパラメータを調整するためのＥＤＣＡパラメータ値を決定するための手段と、
前記ＥＤＣＡパラメータを調整するための前記決定されたＥＤＣＡパラメータ値を送信するための手段と、
をさらに備える、請求項４６に記載のアクセスポイント。
【請求項４９】
ＥＤＣＡパラメータルックアップテーブルを送信するための手段をさらに備え、前記ＥＤＣＡパラメータルックアップテーブルは、前記アクセスポイントと前記局の間で通信される信号の信号強度または前記アクセスポイントと前記局の間の距離に関連付けられた１つまたは複数のＥＤＣＡパラメータを含む、請求項４４に記載のアクセスポイント。
【請求項５０】
ワイヤレス通信のためのアクセスポイントであって、
メモリと、
前記メモリに結合され、かつ、
前記アクセスポイントが拡張分散チャネルアクセス（ＥＤＣＡ）パラメータ調整をサポートするかどうかを決定することと、
前記決定に基づいて、局にメッセージを送信することと、前記メッセージは、前記アクセスポイントがＥＤＣＡパラメータ調整をサポートするかどうかを示す、
前記アクセスポイントと前記局の間で通信される信号の信号強度または前記アクセスポイントと前記局の間の距離に基づいて調整されたＥＤＣＡパラメータに基づいて、前記局と通信することと、
を行うように構成された少なくとも１つのプロセッサと、
を備えるアクセスポイント。
【請求項５１】
前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、請求項５０に記載のアクセスポイント。
【請求項５２】
前記少なくとも１つのプロセッサは、前記アクセスポイントと前記局の間で通信される前記信号の前記信号強度または前記アクセスポイントと前記局の間の前記距離を決定するようにさらに構成される、請求項５０に記載のアクセスポイント。
【請求項５３】
前記少なくとも１つのプロセッサは、前記決定された信号強度または前記決定された距離を前記局に送信するようにさらに構成される、請求項５２に記載のアクセスポイント。
【請求項５４】
前記少なくとも１つのプロセッサは、
前記決定された信号強度または前記決定された距離に基づいて、前記ＥＤＣＡパラメータを調整するためのＥＤＣＡパラメータ値を決定することと、
前記ＥＤＣＡパラメータを調整するための前記決定されたＥＤＣＡパラメータ値を送信することと、
を行うようにさらに構成される、請求項５２に記載のアクセスポイント。
【請求項５５】
前記少なくとも１つのプロセッサは、ＥＤＣＡパラメータルックアップテーブルを送信するようにさらに構成され、前記ＥＤＣＡパラメータルックアップテーブルは、前記アクセスポイントと前記局の間で通信される信号の信号強度または前記アクセスポイントと前記局の間の距離に関連付けられた１つまたは複数のＥＤＣＡパラメータを含む、請求項５０に記載のアクセスポイント。
【請求項５６】
コンピュータにより実行可能なコードを記憶した、アクセスポイントのコンピュータ可読媒体であって、
前記アクセスポイントが拡張分散チャネルアクセス（ＥＤＣＡ）パラメータ調整をサポートするかどうかを決定し、
前記決定に基づいて、局にメッセージを送信し、前記メッセージは、前記アクセスポイントがＥＤＣＡパラメータ調整をサポートするかどうかを示す、
前記アクセスポイントと前記局の間で通信される信号の信号強度または前記アクセスポイントと前記局の間の距離に基づいて調整されたＥＤＣＡパラメータに基づいて、前記局と通信する
ためのコードを備える、コンピュータ可読媒体。
【手続補正２】
【補正対象書類名】明細書
【補正対象項目名】０１２５
【補正方法】変更
【補正の内容】
【０１２５】
[00123]先の説明は、いかなる当業者であっても、ここで説明された様々な態様を実現することを可能にするように提供される。これらの態様への様々な修正は、当業者には容易に明らかとなり、ここに定義された一般原理は、他の態様に適用され得る。したがって、特許請求の範囲は、ここに示された態様に限定されるようには意図されず、特許請求の範囲の文言と一致する全範囲が与えられるべきものであり、ここで、単数形の要素への参照は、別途明記されていない限り、「１つ、および１つのみ」を意味するようには意図されず、「１つまたは複数」を意味するように意図される。別段に明記されていない限り、「いくつかの」という用語は、１つまたは複数を指す。当業者に知られているか、または後に知られることとなる、本開示全体を通じて説明された様々な態様の要素に対する全ての構造的および機能的な同等物は、参照によってここに明確に組み込まれ、特許請求の範囲によって包含されるように意図される。さらに、ここで開示されたものはいずれも、このような開示が特許請求の範囲において明記されているかどうかにかかわらず、公衆に放棄されるようには意図されていない。いずれの請求項の要素も、その要素が「〜のための手段（means for）」という表現を使用して明確に記載されていない限り、または、方法の請求項の場合には、その要素が「〜のためのステップ（step for）」という表現を使用して記載されていない限り、米国特許法第１１２条（ｆ）の規定のもとで解釈されるべきではない。
以下に本願の出願当初の特許請求の範囲に記載された発明を付記する。
［Ｃ１］  局によるワイヤレス通信の方法であって、
アクセスポイントからの信号の信号強度または前記局と前記アクセスポイントの間の距離に基づいて、拡張分散チャネルアクセス（ＥＤＣＡ）パラメータを調整することと、
前記調整されたＥＤＣＡパラメータに基づいて、前記アクセスポイントと通信することと、
を備える方法。
［Ｃ２］  前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、Ｃ１に記載の方法。
［Ｃ３］  前記ＥＤＣＡパラメータは、前記ＣＷＭＩＮパラメータ、前記ＣＷＭＡＸパラメータ、または前記ＡＩＦＳＮパラメータのうちの１つを備え、前記ＥＤＣＡパラメータを前記調整することは、前記信号強度または前記距離に比例して前記ＥＤＣＡパラメータを増大させることを備える、Ｃ２に記載の方法。
［Ｃ４］  前記ＥＤＣＡパラメータは、前記ＴＸＯＰパラメータを備え、前記ＥＤＣＡパラメータを前記調整することは、前記信号強度または前記距離に比例して前記ＥＤＣＡパラメータを低減させることを備える、Ｃ２に記載の方法。
［Ｃ５］  前記ＥＤＣＡパラメータを前記調整することは、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
を備える、Ｃ１に記載の方法。
［Ｃ６］  前記正規化されたパラメータは、前記信号強度または前記距離、前記信号強度または前記距離に関連付けられた最大パラメータ値、および前記信号強度または前記距離に関連付けられた最小パラメータ値に基づいて決定される、Ｃ５に記載の方法。
［Ｃ７］  前記正規化されたパラメータは、エネルギー検出（ＥＤ）レベル、前記アクセスポイントと前記局の間の受信信号強度インジケーション（ＲＳＳＩ）、または前記距離の関数である、Ｃ５に記載の方法。
［Ｃ８］  調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信することをさらに備える、Ｃ１に記載の方法。
［Ｃ９］  前記ＥＤＣＡパラメータの調整を可能にするインジケータを受信することをさらに備え、ここにおいて、前記ＥＤＣＡパラメータは、前記インジケータを受信した後に調整される、Ｃ１に記載の方法。
［Ｃ１０］  前記アクセスポイントがＥＤＣＡパラメータ調整をサポートするというインジケーションを受信することをさらに備え、ここにおいて、前記ＥＤＣＡパラメータは、前記インジケーションを受信した後に調整される、Ｃ１に記載の方法。
［Ｃ１１］  前記ＥＤＣＡパラメータを前記調整することは、前記信号強度または前記距離に基づき、およびＥＤＣＡパラメータルックアップテーブルに基づく、ここにおいて、前記ＥＤＣＡパラメータルックアップテーブルは、前記信号強度または前記距離に関連付けられた１つまたは複数のＥＤＣＡパラメータを含む、Ｃ１に記載の方法。
［Ｃ１２］  前記アクセスポイントから、前記ＥＤＣＡパラメータを調整するために前記局によって使用される情報を受信することをさらに備える、Ｃ１に記載の方法。
［Ｃ１３］  ワイヤレス通信のための局であって、
アクセスポイントからの信号の信号強度または前記局と前記アクセスポイントの間の距離に基づいて、拡張分散チャネルアクセス（ＥＤＣＡ）パラメータを調整するための手段と、
前記調整されたＥＤＣＡパラメータに基づいて、前記アクセスポイントと通信するための手段と、
を備える局。
［Ｃ１４］  前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、Ｃ１３に記載の局。
［Ｃ１５］  前記ＥＤＣＡパラメータは、前記ＣＷＭＩＮパラメータ、前記ＣＷＭＡＸパラメータ、または前記ＡＩＦＳＮパラメータのうちの１つを備え、前記ＥＤＣＡパラメータを調整するための前記手段は、前記信号強度または前記距離に比例して前記ＥＤＣＡパラメータを増大させるように構成される、Ｃ１４に記載の局。
［Ｃ１６］  前記ＥＤＣＡパラメータは、前記ＴＸＯＰパラメータを備え、前記ＥＤＣＡパラメータを調整するための前記手段は、前記信号強度または前記距離に比例して前記ＥＤＣＡパラメータを低減させるように構成される、Ｃ１４に記載の局。
［Ｃ１７］  前記ＥＤＣＡパラメータを調整するための前記手段は、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
を行うように構成される、Ｃ１３に記載の局。
［Ｃ１８］  前記正規化されたパラメータは、前記信号強度または前記距離、前記信号強度または前記距離に関連付けられた最大パラメータ値、および前記信号強度または前記距離に関連付けられた最小パラメータ値に基づいて決定される、Ｃ１７に記載の局。
［Ｃ１９］  前記正規化されたパラメータは、エネルギー検出（ＥＤ）レベル、前記アクセスポイントと前記局の間の受信信号強度インジケーション（ＲＳＳＩ）、または前記距離の関数である、Ｃ１７に記載の局。
［Ｃ２０］  調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信するための手段をさらに備える、Ｃ１３に記載の局。
［Ｃ２１］  前記ＥＤＣＡパラメータの調整を可能にするインジケータを受信するための手段をさらに備え、ここにおいて、前記ＥＤＣＡパラメータは、前記インジケータを受信した後に調整される、Ｃ１３に記載の局。
［Ｃ２２］  前記アクセスポイントがＥＤＣＡパラメータ調整をサポートするというインジケーションを受信するための手段さらに備え、ここにおいて、前記ＥＤＣＡパラメータは、前記インジケーションを受信した後に調整される、Ｃ１３に記載の局。
［Ｃ２３］  前記ＥＤＣＡパラメータを調整するための前記手段は、前記信号強度または前記距離に基づき、およびＥＤＣＡパラメータルックアップテーブルに基づく、ここにおいて、前記ＥＤＣＡパラメータルックアップテーブルは、前記信号強度または前記距離に関連付けられた１つまたは複数のＥＤＣＡパラメータを含む、Ｃ１３に記載の局。
［Ｃ２４］  前記アクセスポイントから、前記ＥＤＣＡパラメータを調整するために前記局によって使用される情報を受信するための手段をさらに備える、Ｃ１３に記載の局。
［Ｃ２５］  ワイヤレス通信のための局であって、
メモリと、
前記メモリに結合され、かつ、
アクセスポイントからの信号の信号強度または前記局と前記アクセスポイントの間の距離に基づいて、拡張分散チャネルアクセス（ＥＤＣＡ）パラメータを調整することと、
前記調整されたＥＤＣＡパラメータに基づいて、前記アクセスポイントと通信することと、
を行うように構成された少なくとも１つのプロセッサと、
を備える局。
［Ｃ２６］  前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、Ｃ２５に記載の局。
［Ｃ２７］  前記ＥＤＣＡパラメータは、前記ＣＷＭＩＮパラメータ、前記ＣＷＭＡＸパラメータ、または前記ＡＩＦＳＮパラメータのうちの１つを備え、前記少なくとも１つのプロセッサは、前記信号強度または前記距離に比例して前記ＥＤＣＡパラメータを増大させることによって、前記ＥＤＣＡパラメータを調整するように構成される、Ｃ２６に記載の局。
［Ｃ２８］  前記ＥＤＣＡパラメータは、前記ＴＸＯＰパラメータを備え、前記少なくとも１つのプロセッサは、前記信号強度または前記距離に比例して前記ＥＤＣＡパラメータを低減させることによって、前記ＥＤＣＡパラメータを調整するように構成される、Ｃ２６に記載の局。
［Ｃ２９］  前記少なくとも１つのプロセッサは、
前記信号強度または前記距離に基づいて、正規化されたパラメータを決定することと、
前記ＥＤＣＡパラメータに関連付けられた範囲および前記正規化されたパラメータに基づいて、前記ＥＤＣＡパラメータを調整することと、前記範囲は、最大値および最小値を備える、
によって前記ＥＤＣＡパラメータを調整するように構成される、Ｃ２５に記載の局。
［Ｃ３０］  前記正規化されたパラメータは、前記信号強度または前記距離、前記信号強度または前記距離に関連付けられた最大パラメータ値、および前記信号強度または前記距離に関連付けられた最小パラメータ値に基づいて決定される、Ｃ２９に記載の局。
［Ｃ３１］  前記正規化されたパラメータは、エネルギー検出（ＥＤ）レベル、前記アクセスポイントと前記局の間の受信信号強度インジケーション（ＲＳＳＩ）、または前記距離の関数である、Ｃ２９に記載の局。
［Ｃ３２］  前記少なくとも１つのプロセッサは、調整すべき前記ＥＤＣＡパラメータまたは前記ＥＤＣＡパラメータを調整するためのＥＤＣＡパラメータ範囲のうちの少なくとも１つを示す、前記アクセスポイントからの情報を受信するようにさらに構成される、Ｃ２５に記載の局。
［Ｃ３３］  前記少なくとも１つのプロセッサは、前記ＥＤＣＡパラメータの調整を可能にするインジケータを受信するようにさらに構成され、ここにおいて、前記ＥＤＣＡパラメータは、前記インジケータを受信した後に調整される、Ｃ２５に記載の局。
［Ｃ３４］  前記少なくとも１つのプロセッサは、前記アクセスポイントがＥＤＣＡパラメータ調整をサポートするというインジケーションを受信するようにさらに構成され、ここにおいて、前記ＥＤＣＡパラメータは、前記インジケーションを受信した後に調整される、Ｃ２５に記載の局。
［Ｃ３５］  前記少なくとも１つのプロセッサは、前記信号強度または前記距離に基づいておよびＥＤＣＡパラメータルックアップテーブルに基づいて、前記ＥＤＣＡパラメータを調整するように構成され、ここにおいて、前記ＥＤＣＡパラメータルックアップテーブルは、前記信号強度または前記距離に関連付けられた１つまたは複数のＥＤＣＡパラメータを含む、Ｃ２５に記載の局。
［Ｃ３６］  前記少なくとも１つのプロセッサは、前記アクセスポイントから、前記ＥＤＣＡパラメータを調整するために前記局によって使用される情報を受信するようにさらに構成される、Ｃ２５に記載の局。
［Ｃ３７］  コンピュータにより実行可能なコードを記憶した、局のコンピュータ可読媒体であって、
アクセスポイントからの信号の信号強度または前記局と前記アクセスポイントの間の距離に基づいて、拡張分散チャネルアクセス（ＥＤＣＡ）パラメータを調整し、
前記調整されたＥＤＣＡパラメータに基づいて、前記アクセスポイントと通信する
ためのコードを備える、コンピュータ可読媒体。
［Ｃ３８］  アクセスポイントによるワイヤレス通信の方法であって、
前記アクセスポイントが拡張分散チャネルアクセス（ＥＤＣＡ）パラメータ調整をサポートするかどうかを決定することと、
前記決定に基づいて、局にメッセージを送信することと、前記メッセージは、前記アクセスポイントがＥＤＣＡパラメータ調整をサポートするかどうかを示す、
を備える方法。
［Ｃ３９］  前記アクセスポイントと前記局の間で通信される信号の信号強度または前記アクセスポイントと前記局の間の距離に基づいて調整されたＥＤＣＡパラメータに基づいて、前記局と通信することをさらに備える、Ｃ３８に記載の方法。
［Ｃ４０］  前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、Ｃ３９に記載の方法。
［Ｃ４１］  前記アクセスポイントと前記局の間で通信される信号の信号強度または前記アクセスポイントと前記局の間の距離を決定することをさらに備える、Ｃ３８に記載の方法。
［Ｃ４２］  前記決定された信号強度または前記決定された距離を前記局に送信することをさらに備える、Ｃ４１に記載の方法。
［Ｃ４３］  前記決定された信号強度または前記決定された距離に基づいて、前記ＥＤＣＡパラメータを調整するためのＥＤＣＡパラメータ値を決定することと、
前記ＥＤＣＡパラメータを調整するための前記決定されたＥＤＣＡパラメータ値を送信することと、
をさらに備える、Ｃ４１に記載の方法。
［Ｃ４４］  ＥＤＣＡパラメータルックアップテーブルを送信することをさらに備え、前記ＥＤＣＡパラメータルックアップテーブルは、前記アクセスポイントと前記局の間で通信される信号の信号強度または前記アクセスポイントと前記局の間の距離に関連付けられた１つまたは複数のＥＤＣＡパラメータを含む、Ｃ３８に記載の方法。
［Ｃ４５］  ワイヤレス通信のためのアクセスポイントであって、
前記アクセスポイントが拡張分散チャネルアクセス（ＥＤＣＡ）パラメータ調整をサポートするかどうかを決定するための手段と、
前記決定に基づいて、局にメッセージを送信するための手段と、前記メッセージは、前記アクセスポイントがＥＤＣＡパラメータ調整をサポートするかどうかを示す、
を備えるアクセスポイント。
［Ｃ４６］  前記アクセスポイントと前記局の間で通信される信号の信号強度または前記アクセスポイントと前記局の間の距離に基づいて調整されたＥＤＣＡパラメータに基づいて、前記局と通信するための手段をさらに備える、Ｃ４５に記載のアクセスポイント。
［Ｃ４７］  前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、Ｃ４６に記載のアクセスポイント。
［Ｃ４８］  前記アクセスポイントと前記局の間で通信される信号の信号強度または前記アクセスポイントと前記局の間の距離を決定するための手段をさらに備える、Ｃ４５に記載のアクセスポイント。
［Ｃ４９］  前記決定された信号強度または前記決定された距離を前記局に送信するための手段をさらに備える、Ｃ４８に記載のアクセスポイント。
［Ｃ５０］  前記決定された信号強度または前記決定された距離に基づいて、前記ＥＤＣＡパラメータを調整するためのＥＤＣＡパラメータ値を決定するための手段と、
前記ＥＤＣＡパラメータを調整するための前記決定されたＥＤＣＡパラメータ値を送信するための手段と、
をさらに備える、Ｃ４８に記載のアクセスポイント。
［Ｃ５１］  ＥＤＣＡパラメータルックアップテーブルを送信するための手段をさらに備え、前記ＥＤＣＡパラメータルックアップテーブルは、前記アクセスポイントと前記局の間で通信される信号の信号強度または前記アクセスポイントと前記局の間の距離に関連付けられた１つまたは複数のＥＤＣＡパラメータを含む、Ｃ４５に記載のアクセスポイント。
［Ｃ５２］  ワイヤレス通信のためのアクセスポイントであって、
メモリと、
前記メモリに結合され、かつ、
前記アクセスポイントが拡張分散チャネルアクセス（ＥＤＣＡ）パラメータ調整をサポートするかどうかを決定することと、
前記決定に基づいて、局にメッセージを送信することと、前記メッセージは、前記アクセスポイントがＥＤＣＡパラメータ調整をサポートするかどうかを示す、
を行うように構成された少なくとも１つのプロセッサと、
を備えるアクセスポイント。
［Ｃ５３］  前記少なくとも１つのプロセッサは、前記アクセスポイントと前記局の間で通信される信号の信号強度または前記アクセスポイントと前記局の間の距離に基づいて調整されたＥＤＣＡパラメータに基づいて、前記局と通信するようにさらに構成される、Ｃ５２に記載のアクセスポイント。
［Ｃ５４］  前記ＥＤＣＡパラメータは、最小コンテンションウィンドウ（ＣＷＭＩＮ）パラメータ、最大コンテンションウィンドウ（ＣＷＭＡＸ）パラメータ、アービトレーションインターフレームスペース数（ＡＩＦＳＮ）パラメータ、または送信機会（ＴＸＯＰ）パラメータのうちの１つを備える、Ｃ５３に記載のアクセスポイント。
［Ｃ５５］  前記少なくとも１つのプロセッサは、前記アクセスポイントと前記局の間で通信される信号の信号強度または前記アクセスポイントと前記局の間の距離を決定するようにさらに構成される、Ｃ５２に記載のアクセスポイント。
［Ｃ５６］  前記少なくとも１つのプロセッサは、前記決定された信号強度または前記決定された距離を前記局に送信するようにさらに構成される、Ｃ５５に記載のアクセスポイント。
［Ｃ５７］  前記少なくとも１つのプロセッサは、
前記決定された信号強度または前記決定された距離に基づいて、前記ＥＤＣＡパラメータを調整するためのＥＤＣＡパラメータ値を決定することと、
前記ＥＤＣＡパラメータを調整するための前記決定されたＥＤＣＡパラメータ値を送信することと、
を行うようにさらに構成される、Ｃ５５に記載のアクセスポイント。
［Ｃ５８］  前記少なくとも１つのプロセッサは、ＥＤＣＡパラメータルックアップテーブルを送信するようにさらに構成され、前記ＥＤＣＡパラメータルックアップテーブルは、前記アクセスポイントと前記局の間で通信される信号の信号強度または前記アクセスポイントと前記局の間の距離に関連付けられた１つまたは複数のＥＤＣＡパラメータを含む、Ｃ５２に記載のアクセスポイント。
［Ｃ５９］  コンピュータにより実行可能なコードを記憶した、アクセスポイントのコンピュータ可読媒体であって、
前記アクセスポイントが拡張分散チャネルアクセス（ＥＤＣＡ）パラメータ調整をサポートするかどうかを決定し、
前記決定に基づいて、局にメッセージを送信する、前記メッセージは、前記アクセスポイントがＥＤＣＡパラメータ調整をサポートするかどうかを示す、
ためのコードを備える、コンピュータ可読媒体。
【国際調査報告】
2018500837.tif 000023
2018500837.tif 000024
2018500837.tif 000025